(57)【要約】流体搬送用ポンプは、流体流入口（２６）と、流体流入口（２６）と流路接続するポンプ室（４）と、ポンプ室（４）と流路接続する流体流出口（２５）を有するポンプ・ハウジング（１）を備える。ポンプは、少なくとも部分的にポンプ室（４）の境界となる駆動可能なポンプ本体（２）と、ポンプ本体駆動装置を更に有する。ポンプ本体駆動装置は、ポンプ本体（２）に接続されるとともに第１の駆動用磁石（１６）を含み移動経路に沿って可動なポンプ本体駆動機構（３）と、ポンプ本体駆動機構（３）と隣接して配置されてポンプ本体駆動機構（３）を移動経路に沿って移動させる第２の駆動用磁石（１１）を備える。また、ポンプは、解除位置でポンプ本体駆動機構（３）を解除し、固定位置でポンプ本体駆動機構（３）を固定する、ポンプ本体駆動機構（３）固定用の作動可能な固定装置（３３）も備える。【選択図】図１
2013532799.tif 000002
【特許請求の範囲】
【請求項１】
ａ）ポンプ・ハウジング（１）は、
ｂ）少なくとも１つの流体流入口（２６）と、
ｃ）前記少なくとも１つの流体流入口（２６）と流路接続する少なくとも１つのポンプ室（４）と、
ｄ）前記少なくとも１つのポンプ室（４）と流路接続する少なくとも１つの流体流出口（２５）を有し、
ｅ）少なくとも１つの駆動可能なポンプ本体（２）は、
ｆ）少なくとも部分的に前記少なくとも１つのポンプ室（４）の境界となり、
ｇ）少なくとも１つのポンプ本体駆動機構は、
ｈ）前記少なくとも１つのポンプ本体（２）に接続されて前記少なくとも１つのポンプ本体（２）を駆動する少なくとも１つのポンプ本体駆動機構（３）を有し、前記少なくとも１つのポンプ本体駆動機構（３）は、移動経路に沿って可動であり、
ｉ）前記少なくとも１つのポンプ本体駆動機構（３）固定用の少なくとも１つの作動可能な固定装置（３３；３３ａ；３３ｂ；３３ｃ）は、
ｊ）解除位置で前記少なくとも１つのポンプ本体駆動機構（３）を解除し、
ｋ）固定位置で前記少なくとも１つのポンプ本体駆動機構（３）を固定する、流体搬送用ポンプ。
【請求項２】
前記固定装置（３３；３３ａ；３３ｂ；３３ｃ）は、前記ポンプ・ハウジング（１）に作動可能に、好ましくは回動可能に取り付けられた少なくとも１つの作動装置（３２；３２ａ；３２ｂ；３２ｃ）により作動することができ、前記少なくとも１つの作動装置（３２；３２ａ；３２ｂ；３２ｃ）は、好ましくはその作動のために少なくとも１つの作動手段（３６）を含むことを特徴とする請求項１記載のポンプ。
【請求項３】
前記固定装置（３３；３３ａ；３３ｂ；３３ｃ）は、前記作動装置（３２；３２ａ；３２ｂ；３２ｃ）により移動されて前記ポンプ本体駆動機構（３）を固定することができる少なくとも１つの固定部（４７；８７；４７ａ；４７ｂ；４７ｃ）を備え、前記少なくとも１つの固定部（４７；８７；４７ａ；４７ｂ；４７ｃ）は、前記解除位置と前記固定位置の間で可動であることを特徴とする請求項２記載のポンプ。
【請求項４】
前記固定部（４７；４７ａ；４７ｂ；４７ｃ）は、その固定位置で、少なくともその移動経路の方向に前記ポンプ本体駆動機構（３）を固定することを特徴とする請求項３記載のポンプ。
【請求項５】
前記ポンプ本体駆動機構（３）をセンタリングするための少なくとも１つの作動可能なセンタリング部（４８；４８ａ；４８ｂ；７３；４８ｃ）により特徴づけられ、前記少なくとも１つのセンタリング部（４８；４８ａ；４８ｂ；７３；４８ｃ）は、好ましくは前記ポンプ本体駆動機構（３）と相互作用するための少なくとも１つのセンタリング側面を有する上記請求項のいずれか１項に記載のポンプ。
【請求項６】
前記センタリング部（４８；４８ａ；４８ｂ；４８ｃ）は、前記ポンプ本体駆動機構（３）をその移動経路の方向にセンタリングすることを特徴とする請求項５記載のポンプ。
【請求項７】
前記センタリング部（４８；４８ａ；７３；４８ｃ）は、前記ポンプ本体駆動機構（３）をその移動経路の横側でセンタリングすることを特徴とする請求項５又は６記載のポンプ。
【請求項８】
前記センタリング部（４８；４８ａ；４８ｂ；７３；４８ｃ）は、前記固定装置（３３；３３ａ；３３ｂ；３３ｃ）に接続されることを特徴とする請求項５〜７のいずれか１項に記載のポンプ。
【請求項９】
前記固定装置（３３ａ）は少なくとも１つのクサビ機構（５８）を有し、前記少なくとも１つのクサビ機構（５８）は、前記作動装置（３２ａ）により作動させることができる連結クサビ（５９）と、クサビ状に構成されて前記連結クサビ（５９）と相互に作用する前記固定部（４７ａ）と、好ましくは前記固定部（４７ａ）をその解除位置へ移動させるために設けられた少なくとも１つのバネ要素（７０）を有することを特徴とする請求項１〜８のいずれか１項に記載のポンプ。
【請求項１０】
前記固定装置（３３ｂ）は、ポンプ本体駆動機構（３）を少なくとも部分的に包囲する少なくとも１つの包囲体（４７ｂ）を有し、前記少なくとも１つの包囲体（４７ｂ）は、好ましくは少なくとも１つの包囲受け部（７５）を有することを特徴とする請求項１〜８のいずれか１項に記載のポンプ。
【請求項１１】
前記固定部（４７ａ；４７ｂ；４７ｃ）及び前記作動装置（３２ａ；３２ｂ；３２ｃ）は、少なくとも１つのリンク装置により互いに連結され、前記少なくとも１つのリンク装置は、少なくとも１本のリンク・ピン（７１；７１ｃ）と、前記少なくとも１本のリンク・ピン（７１；７１ｃ）を誘導するための少なくとも１つのリンク（５４；５４ｂ；５４ｃ）を有することを特徴とする請求項１〜１０のいずれか１項に記載のポンプ。
【請求項１２】
前記リンク（５４；５４ｂ；５４ｃ）は、前記リンク・ピン（７１；７１ｃ）を作動させる少なくとも１つのリンク・ピン差動部（５６；５６ｂ；５６ｃ）を有し、また前記リンク（５４；５４ｂ；５４ｃ）は、好ましくは前記リンク・ピン（７１；７１ｃ）を局所的に固定する固定部（５７；５７ｂ）も有することを特徴とする請求項１１記載のポンプ。
【請求項１３】
前記リンク・ピン（７１；７１ｃ）は、前記固定部（４７ｃ）を形成することを特徴とする請求項１２記載のポンプ。
【請求項１４】
前記作動装置（３２）及び前記固定装置（３３）は、互いに強固に接続され、前記固定部（４７）は、好ましくは前記ポンプ本体駆動機構（３）を配置するための固定面として構成されることを特徴とする請求項１〜８のいずれか１項に記載のポンプ。
【請求項１５】
前記作動装置（３２）は、前記固定部（４７）の固定位置において、前記ポンプ本体駆動機構（３）上に配置され、前記作動装置（３２）をその固定位置に保持する少なくとも１つの弾性バネ手段（５０）を備えることを特徴とする請求項１４記載のポンプ。
【発明の詳細な説明】
【技術分野】
【０００１】
本発明は、ポンプに関し、特に、流体搬送用のダイヤフラム・ポンプに関する。搬送される流体は、液体、ガス、ガス混合物又は液体／ガス混合物などの被搬送媒体を意味するものと解される。ポンプは、小規模下水処理施設での継続的稼動に使用されることが好ましい。この種の小規模下水処理施設は、多くの場合、下水道に繋がっていない建物内で汚水を浄化するために使用される。好ましくは、ポンプは、汚水に空気を導入するために使用される。こうして、汚水中の酸素が豊富になる。そして、バクテリアが活性化し、汚水の生物的又は細菌浄化がなされる。したがって、ポンプは、曝気ポンプであることが好ましい。
【背景技術】
【０００２】
数多くのポンプが従来技術で知られており、例えば、小規模下水処理場で使用される。これら公知のポンプの欠点は、大抵の場合、そのダイヤフラムなどの摩耗部品を数年おきに交換しなくてはならないことである。摩耗部品の交換には、比較的時間がかかる。一般に、摩耗部品の交換には技術的熟練が必要である。
【発明の概要】
【発明が解決しようとする課題】
【０００３】
よって、本発明は、摩耗部品を特に容易且つ迅速に交換することができるポンプを提供するという目的に基づく。
【課題を解決するための手段】
【０００４】
本発明によれば、この目的は、請求項１に開示される特徴によって達成される。本発明の主要部は、少なくとも１つのポンプ本体駆動機構を、少なくとも１つの固定装置によって局所的に固定できることである。特に、このことにより、ポンプ本体駆動機構が不用意に移動したり、メンテナンス作業中に移動することを防止する。このように、例えば、ポンプ本体の簡単な交換が可能となる。
【０００５】
よって、例えば、メンテナンス作業中において、少なくとも１つの駆動用磁石を含むポンプ本体駆動機構が、少なくとも１つの固定型駆動磁石に引き付けられてそこに固定されることを防ぐことができる。一般に、磁石同士を引き離すことは非常に難しい。この種のポンプ本体駆動機構は、少なくとも１つの第１の駆動用磁石を有することが好ましい。少なくとも１つのポンプ本体駆動機構が、少なくとも１つのポンプ本体駆動機構と隣接して配置されて少なくとも１つのポンプ本体駆動機構をその移動経路に沿って移動させる少なくとも１つの第２の駆動用磁石を更に有すると有利である。あるいは、ポンプ本体駆動装置の別の構成も可能である。
【０００６】
少なくとも１つのポンプ本体は、例えば、ダイヤフラムとして構成してもよい。または、ピストンであってもよい。好ましくは、２つのポンプ本体が設けられる。２つの固定装置が設けられることも有利である。これらを互いに独立して作動できることが好ましい。また、固定装置同士を互いに連結して共に作動させてもよい。
【０００７】
従属請求項に、更に有利な構成が開示される。
【０００８】
請求項２に記載の構成により、固定装置を簡単に作動又は取り扱いできる。各固定装置に１つの作動装置が設けられることが好ましい。あるいは、２つの固定装置が１つの作動装置によって作動されてもよい。作動装置は、移動可能に又は回動可能にポンプ・ハウジングに取り付けられてもよく、好ましくは少なくとも１つの作動手段を含む。考えられる作動手段の例として、作動ハンドルやハンドル・トラフがある。また、作動手段は、ローレット切りにより製造されていてもよい。作動装置は、ポンプ・ハウジングの内側又は外側に取り付けることができる。作動装置を内側に取り付ける場合の作動手段は、ポンプ・ハウジングに形成された凹部を通ってポンプ・ハウジングから突出することができる作動ハンドル又はレバーとして構成されることが好ましい。
【０００９】
請求項３に記載の構成により、ポンプ本体駆動機構の固定は、非常に機能的に信頼性のあるものとなる。固定部は、ポンプ本体駆動機構内に、好ましくは確実に係合されてもよい。そして、そのためにポンプ本体駆動機構は、対応する少なくとも１つの凹部又は開口を有することが好ましい。あるいは、固定部は、ポンプ本体駆動機構の外側に配置されてもよく、横側又は端面に配置されてもよい。また、固定部は、クランプ状にポンプ本体駆動機構を部分的に包囲してもよい。各固定装置が、１つ又は２つの固定部を有することが好ましい。
【００１０】
請求項４に記載の構成は、機能的に高い信頼性で、ポンプ本体駆動機構のその移動経路に沿った更なる移動を防止する。また、代替的または追加的に、ポンプ本体駆動機構は、その移動経路の横側で固定されてもよい。少なくとも１つの固定部は、その固定位置で、ポンプ本体駆動機構をその移動経路の方向に対し、そして好ましくはその移動方向の横側で固定するように構成されることが好ましい。異なる方向に作用する固定は、共通の固定部によって又は互いに分離した固定部によって達成することができる。
【００１１】
請求項５に記載の構成により、ポンプ本体駆動機構を非常に正確に配置することができる。よって、その所望の固定位置に正確に誘導することができる。
【００１２】
請求項６及び７に記載の構成により、ポンプ本体駆動機構の配置が非常に正確なものとなる。
【００１３】
請求項８に記載の構成により、非常に高い機能的信頼性が得られる。更に、この種のポンプは、メンテナンスの際の取り扱いが非常に容易である。
【００１４】
請求項９に記載の構成は、非常に機能的に信頼性のある固定装置を実現する。連結クサビ及びクサビ状に構成された固定部は、そのクサビ面により互いに摺動接続する。連結クサビの作動により固定部が移動し、これにより移動偏向が起こる。１つの固定部につき２つのクサビ機構が設けられることが好ましい。また、各固定装置が２つの固定部を有することが好ましく、これら固定部の間には、その解除位置へ移動させるためのバネ要素を設けることができる。バネ要素は、板バネ、コイルばね、エラストマースプリングとして、又はスプリング・ブロックとして構成してもよい。バネ要素の代わりにこれに対応するガイドも設けて、固定部を元に戻すようにしてもよい。そのために、例えば、蟻継ぎガイドを用いてもよい。固定位置では、固定部がポンプ本体駆動機構の横側に配置されることが好ましい。
【００１５】
請求項１０に記載の構成でも、ポンプ本体駆動機構の固定が非常に信頼性の高いものとなる。固定位置では、包囲体は、ポンプ本体駆動機構をその長手方向両辺の領域で包囲することが好ましい。包囲体とポンプ本体駆動機構の間は、確動接続されることが好ましい。
【００１６】
請求項１１に記載の構成により、固定部の作動が容易で機能的に信頼性があるものとなる。リンク・ピンが固定部に接続されたままで、作動装置内又は上にリンクを構成することが好ましい。代替的な実施形態によれば、リンクは固定部上に構成され、一方、リンク・ピンは作動装置上に設けられる。
【００１７】
請求項１２に記載の構成は、特に操作上の信頼性が高い。
【００１８】
請求項１３に記載の構成は、非常に単純な構造を有する。リンクは、リンク・カム又は制御カムとして構成されることが好ましい。固定部をリンク・カムと接触させるバネ要素は、各固定部と連結されることが好ましい。
【００１９】
請求項１４に記載の構成もまた、構造に関しては非常に単純である。また、非常に組み立て易く、機能的に信頼性がある。
【００２０】
請求項１５に記載の構成により、動作信頼度が非常に高くなる。
【図面の簡単な説明】
【００２１】
以下に、本発明の４つの実施形態を、添付図面を参照しながら一例として説明する。
【００２２】
【図１】図１は、本発明の第１の実施形態に係るポンプの斜視図を示す。
【図２】図２は、図１に示すポンプの断面を示す。
【図３】図３は、図１及び２に示すポンプの分解図を示す。
【図４】図４は、図１〜３に示すポンプの作動装置又は固定装置の図を示す。
【図５】図５は、図４に示す切断線Ｖ−Ｖに沿った断面を示す。
【図６】図６は、ポンプ本体駆動機構が解除されている場合の図１〜３に示すポンプの断面を示す。
【図７】図７は、ポンプ本体駆動機構が解除されている場合の図１〜３に示すポンプの断面を示す。
【図８】図８は、固定装置がそのセンタリング位置にある場合の図１〜３に示すポンプの図を示す。
【図９】図９は、図８の切断線ＩＸ−ＩＸに沿った断面を示す。
【図１０】図１０は、固定装置がその固定位置に位置した場合の図１〜３に示すポンプの断面を示す。
【図１１】図１１は、固定装置がその固定位置に位置した場合の図１〜３に示すポンプの断面を示す。
【図１２】図１２は、本発明の第２の実施形態に係るポンプの斜視図を示す。
【図１３】図１３は、図１２に示すポンプの分解図を示す。
【図１４】図１４は、図１２及び１３に示すポンプの固定装置、作動装置及びポンプ本体駆動機構の斜視図を示す。
【図１５】図１５は、図１２及び１３に示すポンプの作動装置の斜視図を示す。
【図１６】図１６は、固定装置がその解除位置にある場合の図１２及び１３に示すポンプの面を示す。
【図１７】図１７は、固定装置がそのセンタリング位置にある場合の図１２及び１３に示すポンプの断面を示す。
【図１８】図１８は、固定装置がそのセンタリング位置にある場合の図１２及び１３に示すポンプの断面を示す。
【図１９】図１９は、固定装置がその固定位置にある場合の図１２及び１３に示すポンプの断面を示す。
【図２０】図２０は、本発明の第３の実施形態に係るポンプの斜視図を示す。
【図２１】図２１は、図２０に示すポンプの断面を示す。
【図２２】図２２は、ポンプ本体駆動機構が解除されている場合の図２０に示すポンプの更なる断面を示す。
【図２３】図２３は、図２０〜２２に示すポンプの作動装置の斜視図を示す。
【図２４】図２４は、図２０〜２２に示すポンプの固定装置及び作動装置の斜視図を示す。
【図２５】図２５は、固定装置がその固定位置にある場合の図２２に対応する断面を示す。
【図２６】図２６は、本発明の第４の実施形態に係るポンプの斜視図を示す。
【図２７】図２７は、ポンプ本体駆動機構が解除されている場合の図２６に示すポンプの断面を示す。
【図２８】図２８は、ポンプ本体駆動機構が解除されている場合の図２６に示すポンプの断面を示す。
【図２９】図２９は、図２６〜２８に示す固定装置、作動装置及びポンプ本体駆動機構の斜視図を示す。
【図３０】図３０は、ポンプ本体駆動機構が解除されている場合の図２６に示すポンプの固定装置、作動装置及びポンプ本体駆動機構の断面を示す。
【図３１】図３１は、固定装置がそのセンタリング位置にある場合の図３０に対応する断面を示す。
【図３２】図３２は、固定装置がその固定位置にある場合の図３０及び３１に対応する断面を示す。
【発明を実施するための形態】
【００２３】
以下に、本発明の第１の実施形態を、図１〜１１を参照して説明する。第１の実施形態のポンプは、ポンプ・ハウジング１、ダイヤフラム２及びダイヤフラム２を作動させるダイヤフラム駆動機構３を備える。ダイヤフラム２とダイヤフラム駆動機構３は、ポンプ・ハウジング１に収容される。ダイヤフラム２とポンプ・ハウジング１とで、容量が可変のポンプ室４の境界を形成する。ダイヤフラム２は柔軟であり、流体に対し不浸透性である。ダイヤフラム駆動機構３でダイヤフラム２を作動させてポンプ室４の容量を変えることにより、流体が搬送される。ダイヤフラム２はポンプ本体を構成し、一方、ダイヤフラム駆動機構３は、ポンプ本体駆動機構である。
【００２４】
ポンプ・ハウジング１は、Ｕ字形状にデザインされたパネル５を含む。そして、パネル５は、Ｕ字底部６と、Ｕ字底部６から垂直に突出するＵ字脚部７を有する。ポンプが組み立てられた際、パネル５の開口側は、いずれの場合も閉じられる。このために、第１のパネル・カバー（図示せず）が、Ｕ字底部６の反対側に設けられる。更に、２枚の第２のパネル・カバー（図示せず）が、互いに対向してＵ字底部６及びＵ字脚部７上横側に設置される。パネル・カバーは、ネジでパネル５に螺合されることが好ましい。これらが共にＵ字を形成し、第１のパネル・カバーがＵ字底部を形成する。Ｕ字底部６、Ｕ字脚部７及びパネル・カバーは、いずれも板状である。これらは共に直方体状の収容空間８の境界を形成し、共にポンプ・ハウジング１を形成する。
【００２５】
互いに離間して配置され、好ましくは鉄材料から形成された２本のくびき９が収容空間８内に設けられる。くびき９は、パネル５にしっかり固定される。これらは、Ｕ字底部６に固定されることが好ましい。各くびき９は、Ｅ字状であり、故に中央に指状の突起１０を有している。各突起１０にはコイル１１が巻き回されており、これにより電流が運ばれる。突起１０は、いずれもコイル１１のコアを形成しており、互いに向かって延びる。くびき９及びコイル１１は、電気駆動磁石１２を形成する。
【００２６】
くびき９同士とコイル１１同士の間には、アーマチュア、シャトルなどとして構成されたダイヤフラム駆動機構３が配置される。アーマチュア３は、可動であり板状である。そして、細長い長方形の形状をしており、よって長手方向に中心軸１３を有する。アーマチュア３は、その長手方向の中心軸１３に沿って軸方向に移動させることができる。アーマチュア３は、長手方向中心軸１３の方向に互いに隣接して配置された２つの窓形状の開口１５を有するフレーム１４を含む。各開口１５には、永久磁石１６が挿入される。永久磁石１６同士は、反対極が互いに近接して配置される。
【００２７】
アーマチュア３の永久磁石１６は、コイル１１に電流が流れた際に電気駆動磁石１２によって生じる磁界内に位置する。コイル１１に電流を流すことにより、アーマチュア３は、くびき９の間を軸方向に移動する。そして、アーマチュア３は、その長手方向の中心軸１３に沿って揺動する。この場合、互いに対向するＵ字脚部７にかわるがわる向かって移動する。
【００２８】
ダイヤフラム２は、アーマチュア３の互いに対向する長手方向両端にしっかり固定される。この場合、ダイヤフラム２の中心部がアーマチュア３に固定される。このため、ダイヤフラム２内部に配置されるように圧縮板をアーマチュア３に設けてもよい。外側には、ダイヤフラム２上に吸着板を配置し、連結する圧縮板に螺合する。
【００２９】
各Ｕ字脚部７には、Ｕ字脚部７を完全に貫通する開口１７が形成される。開口１７は円形であり、互いに対向している。その中心点は、ポンプが組み立てられた際にアーマチュア３の長手方向の中心軸１３上に位置する。
【００３０】
ポンプ・ハウジング１の構成部品であるポンプ・ヘッド１８は、各開口１７に連結される。各ポンプ・ヘッド１８は、各Ｕ字脚部７の外側にネジで保持されたシェル形状のチャンバ部１９を含む。ポンプ・ヘッド１８は、ポンプが組み立てられた際に互いに対向する。また、チャンバ部１９は、各Ｕ字脚部７の外側近くに各開口１７を一周して延びるダイヤフラム取り付け領域２０を有する。更に、各チャンバ部１９は、各Ｕ字脚部７から離間して配置されて各ポンプ室４の形成をする弁収容領域２１を有する。各チャンバ部１９は、ダイヤフラム取り付け領域２０と弁収容領域２１を互いに接続する周壁２２を更に有する。チャンバ部１９は、ダイヤフラム取り付け領域２０から弁収容領域２１の方向に向かって先細になる。
【００３１】
各弁収容領域２１には、圧力弁受け部２３と吸気弁受け部２４が形成される。圧力弁受け部２３は圧力開口２３と隣接して配置される一方、吸気弁受け部２４は吸込開口２６と隣接して設置される。圧力開口２５と吸込開口２６は、いずれも弁収容領域２１を完全に貫通して配置される。
【００３２】
更に、各ポンプ・ヘッド１８は、弁収容領域２１と隣接して各チャンバ部１９の外側にしっかりと配置されたバルブ・カバー２７を含む。バルブ・カバー２７は、各チャンバ部１９に螺合される。この場合、バルブ・カバー２７は、吸気弁受け部２４内で吸気バルブプレート２８を保持する。吸気バルブプレート２８は、吸込開口２６を閉じることができる。更に、バルブ・カバー２７は、圧力弁受け部２３内で圧力バルブプレート２９を保持する。圧力バルブプレート２９は、圧力開口２５を閉じることができる。バルブプレート２８及び２９は、開口２６又は２５が開放される閉鎖位置の間を移動させることができる。これらは、圧力制御される。各バルブ・カバー２７は、圧力ライン３０と吸込ライン３１を更に有する。圧力ライン３０は圧力開口２５に流路接続し、一方、吸込ライン３１は吸込開口２６と流路接続する。
【００３３】
ポンプは、更に２つの作動装置３２を備える。各作動装置３２は、回転不能に固定装置３３に接続される。作動装置３２及びそれに連結された固定装置３３は、いずれも一体で構成されることが好ましい。これらが、作動／固定ユニットを形成する。作動／固定ユニットは、筒状にデザインされる。これらは、それぞれ中心軸３４を有する。作動／固定ユニットは、ポンプが組み立てられた際に互いに対向する。
【００３４】
各作動装置３２は、環状の接触板３５と、接触板３５から半径方向に突出する作動ハンドル３６を含む。接触板３５は、いずれも外面３７と、外面３７とは反対側の内面３８を有する。接触板３５の外径は、開口１７の直径よりも大きい。ポンプが組み立てられた際には、内面３８は、Ｕ字脚部７の外側で開口１７と隣接する。ここでは、作動装置３２の内面３８同士は、互いに向き合っている。ダイヤフラム２は、作動装置３２の外面３７上に配置される。これらダイヤフラム２は、ポンプ・ハウジング１に、或いは、各Ｕ字脚部７に螺合されたチャンバ部１９によって保持される。
【００３５】
あるいは、接触板３５はＵ字脚部７の内側に配置されてもよい。
【００３６】
各固定装置３３は、各接触板３５の内面３８に隣接するベース本体３９を含む。いずれのベース本体３９も、開口１７の直径より僅かに小さい外径を有している。ポンプが組み立てられた際には、ベース本体３９は、開口１７を通って収容空間８内に突出し、各開口１７の境界を形成して軸受面となっている境界壁４０上に配置される。
【００３７】
各ベース本体３９は、その対称中心に対して点対称であり、中心軸３４上を通過してこれを軸方向に完全に貫通し、且つ、細長い矩形の窓形状をした開口４１を有する。各開口４１は、第１の長手方向端部４２と、第１の長手方向端部４２に対向する第２の長手方向端部４３を有する。長手方向端部４２、４３は、接触板３５にほぼ隣接して延びる。更に、開口４１は、いずれも、互いに対向する２つの長手方向側辺４４、４５を有する。開口４１は、ベース本体３９を略二等分に分割している。長手方向側辺４４、４５の間の間隔は、アーマチュア３の幅より僅かに大きい。長手方向端部４２、４３の間の間隔は、アーマチュア３の高さより僅かに大きい。
【００３８】
各ベース本体３９は、ポンプが組み立てられた際に収容空間８内に突出し、連結する接触板３５から離れた内側部４６を有する。各ベース本体３９は、内側部４６上に、接触板３５と平行に延びてアーマチュア３を軸方向に固定するため固定部を形成する接触面４７を有する。
【００３９】
また、各開口４１の長手方向側辺４４又は４５に隣接するセンタリング側面４８が、各ベース本体３９のその内側部４６に設けられる。センタリング側面４８は、各ベース本体３９の接触面４７から形成されており、接触ベース４７に対し斜めに延びる。１つのセンタリング側面４８は、第１の長手方向端部４２及び第２の長手方向側辺４５に隣接して位置する。一方、別のセンタリング側面４８は、第２の長手方向端部４３及び第１の長手方向側辺４４に隣接して位置する。センタリング側面４８は、接触面４７から中心軸３４の方向に延びる。これらは、互いに斜めに対向している。
【００４０】
更に、２つの開口膨張部４９が、ベース本体３９の中心軸３４の領域に各開口４１と隣接して設けられる。各ベース本体３９に接続されたスプリング・アームが、各開口膨張部４９内で弾かれる。スプリング・アーム５０は、弓形状をしており、中心軸３４の周りを曲線状に延びる。これらは、半径方向に撓むことができる。
【００４１】
いずれの開口膨張部４９も、ベース本体３９に設けられ、スプリング・アーム５０の自由端と隣接して延びる内側の接触側面８７により、横方向の境界が形成される。内側の接触側面８７同士は、互いに平行に延びる。各内側の接触側面８７は、各開口４１の長手方向側辺４４又は４５と隣接しており、ベース本体内の厚い領域上を延びる。内側の接触側面８７は、接触面４７と垂直に延びる。
【００４２】
以下に、ポンプの機能を説明する。電流の通ったコイル１１を設けることで、これが磁界を発生させる。永久磁石１６を含むアーマチュア３は、磁界内に位置する。永久磁石１６もまた、磁界を発生させる。永久磁石１６及び電気駆動磁石１２は共に、ポンプ本体駆動装置又はダイヤフラム駆動装置を形成する。アーマチュア３は、磁界によりその長手方向の中心軸１３に沿って揺動運動する。この過程で、その移動経路に沿って移動する。アーマチュア３は、互いに反対又は逆方向である２つの異なる方向に動く。
【００４３】
アーマチュア３が揺動運動することにより、２つのダイヤフラム２が交互に作動する。ダイヤフラム２の中心部がチャンバ部１９内に交互に押し入れられ、その後収容空間８に引き込まれることで、被搬送流体が搬送される。
【００４４】
被搬送流体は、ダイヤフラム２により、少なくとも１つのパネル・カバーを介してポンプ・ハウジング１内に吸引される。ポンプ・ハウジング１内では、流体は、くびき９に沿った少なくとも一部の領域を介して流れ、その後、吸込ライン３１内へ引き込まれる。流体流入口を形成する吸込開口２６を介して、流体は、各ポンプ室４に達する。この過程で、流体は、解除位置に位置する各吸気バルブプレート２８を通過する。この場合、圧力開口２５は、圧力バルブプレート２９によって閉鎖される。その後、流体は、流体流出口を形成する圧力開口２５を介してポンプ室４を出る。吸気バルブプレート２８は、流体が意図せず圧力ライン３１に戻ることを防ぐ。流体は、解除位置にある各圧力バルブプレート２９を通過し、そして、圧力ライン３０に達する。その後、流体は、圧力を集める接続片（図示せず）を介して取り除くことができる。ポンプは、外側ハウジング内に完全に収容することができる。
【００４５】
ダイヤフラム２の交換について、以下に更に詳しく説明する。この場合、ポンプは、図６及び７に示す動作状態であると想定する。ダイヤフラム交換中は、アーマチュア３は駆動しておらず、コイル１１に電流は流れていない。
【００４６】
このポンプの動作状態においては、アーマチュア３は、その移動経路に沿って可動となっている。いずれの作動装置３２又は固定装置３３も、その解除位置又は非固定位置にある。開口４１は、アーマチュア３を通過させられる向きに配置される。開口４１及びアーマチュア３は、共通の中心面を有する。
【００４７】
作動装置３２は、その解除位置から固定位置に、中心軸３４を中心に手動で回動される。作動装置３２は、同時又は継続的に回動させることができる。単純且つ信頼性のある力伝達を可能とする作動ハンドル３６は、作動装置３２を手動回動させるために使用される。作動装置３２の回動に対応して、固定装置３３が、その解除位置から固定位置に中心軸３４を中心に回動する。
【００４８】
まず、アーマチュア３のセンタリングを行う。図８及び９にこのセンタリングを示す。これは、固定装置３３が解除位置から固定位置へ移動する際に自動的に行われる。よって、固定装置３３のセンタリングが確実に行われる。１つの固定装置３３の２つのセンタリング側面４８が、同時にアーマチュア３上に配置される。アーマチュア３は、センタリング側面４８に対応する係合面５１を有することが好ましい。係合面５１は、アーマチュア３の長手方向端部の領域に位置しており、長手方向の中心軸１３と略垂直である。係合面５１とそれに連結するセンタリング側面４８の間で、相対運動が行われる。センタリング側面４８が傾いているため、アーマチュア３は、別の作動装置３２の方向に長手方向の中心軸１３に沿って作動されたばかりの作動装置３２から離れていく。２つの作動装置３２を作動させることで、長手方向の中心軸１３の方向へのアーマチュア３のセンタリングが行われる。各固定装置３３がアーマチュア３を押し離し、アーマチュア３がセンタリングされる。センタリング後、アーマチュア３は、Ｕ字脚部間の中央に位置する。更に、アーマチュア３のセンタリングの際、センタリング側面４８は、長手方向の中心軸１３と垂直な方向に作用する。このように、アーマチュア３は、長手方向の中心軸１３に対して半径方向にも中心を置く。作動装置３２又は固定装置３３が固定位置に更に回動されるほど、アーマチュア３のその位置が更に移動する。
【００４９】
アーマチュア３にしっかり固定されたダイヤフラム２は、固定装置３３の作動の際に、長手方向の中心軸１３を中心とするアーマチュア３の回動を防止する。更に、センタリング側面４８は、固定装置３３の作動の際に、アーマチュア３が長手方向の中心軸１３を中心とする回動運動を行うことを防止する。
【００５０】
その後、固定装置３３は、その固定位置に到達する。これらは、図１０及び１１に示される。そして、接触面４７は、アーマチュア３の長手方向端部上に平坦に配置され、これらを軸方向に固定する。開口４１とアーマチュア３は、順に又は互いの方向が合っていない。アーマチュア３は、もはや開口４１を通過することはできない。スプリング・アーム５０は、固定装置３３がその固定位置から不用意に移動することを防止する。スプリング・アーム５０は更に、アーマチュア３も固定する。この場合、スプリング・アーム５０は、アーマチュア３上に配置される。その後、アーマチュア３からダイヤフラム２を取り外すことができる。このために、ポンプ・ヘッド１８が取り外される。
【００５１】
その後更に、ベース本体３９の接触側面８７が、アーマチュア３の両側でアーマチュア３上横側に配置される。この場合、２つのベース本体３９の接触側面８７は、長手方向の中心軸１３を中心とした軸方向に離間している。接触側面８７は、長手方向の中心軸１３に沿ったアーマチュア３の回転を防止し、また、アーマチュア３のコイル１１への接近を防ぐ。よって、接触側面８７は、アーマチュア３をその移動方向の横側に固定する固定部を形成している。
【００５２】
作動装置３２を逆作動させることで、アーマチュア３は再び解除される。
【００５３】
図１２〜１９を参照し、以下に本発明の第２の実施形態を説明する。第１の実施形態と同一の構成要素には同じ符号を付して、ここで参照する。以下、構造的には異なるが機能的に同様の構成要素については、同じ符号に「ａ」を付け足して示している。第１の実施形態と第２の実施形態の本質的な違いは、作動装置３２ａ及び固定装置３３ａの構成である。ここでは、作動装置３２ａ及び固定装置３３ａは別体として構成されている。
【００５４】
ポンプは、２つの作動装置３２ａを有する。各作動装置３２ａは、円形状であり収容空間８に収容された作動ディスク５２を有する。作動ハンドル３６が、作動ディスク５２から半径方向に突出している。開口４１は、点対称である作動ディスク５２を軸方向に貫通している。各作動ディスク５２は、外面３７及び内面３８を有する。それぞれがセンタリング側面４８ａを有する２つのセンタリング板５３が、各内面３８から突出している。センタリング板５３は、弓状に湾曲して延びる。それぞれの曲率は均一であり、中心軸３４から一定の間隔で延びる。各センタリング板５３は、開口４１の長手方向側辺４４又は４５と接する。この場合、作動装置３２ａのセンタリング板５３は、互いに対向し、長手方向端部４２、４３に近接して斜めに配置される。センタリング側面４８ａは、内面３８及び中心軸３４に対して傾斜して延びる。
【００５５】
更に、各作動ディスク５２には、その内面３８に形成された２つのリンク５４が設けられる。リンク５４は、溝形状でもよい。また、これらは、作動ディスク５２を完全に貫通してもよい。作動装置３２ａのリンク５４は、長手方向側辺４４又は４５に近接して配置され、互いに傾斜して対向している。各リンク５４は、半径方向外側にある空転部５５、空転部５５に隣接したリンク・ピン作動部５６及びリンク・ピン作動部５６に隣接した半径方向内側にある固定部５７を有する。いずれの固定部５７も、開口４１と近接して配置され、略直線状に延びる。中心軸３４からのその間隔は、略一定である。固定部５７から進むにすれ、中心軸３４からリンク・ピン作動部５６の間隔は、大幅に増加する。空転部５５もまた、中心軸３４からの間隔は略一定である。
【００５６】
ポンプは、２つの固定装置３３ａを更に有する。各固定装置３３ａは、ここでは２つのクサビ機構５８を含む。各クサビ機構５８は、外側の連結クサビ５９と内側の把持クサビ６０を有する。把持クサビ６０と連結クサビ５９は、それぞれ連結される。これらは、実質的に一対のクサビを形成する。
【００５７】
各クサビ機構５８は、キャリア６１を有する。いずれのキャリア６１も、ポンプが組み立てられた際にそれを通過するネジ６３を有すると共に、Ｕ字底部６に隣接して位置する固定片６８を含む。くびき９にネジ６３が螺合され、これによりキャリア６１もくびき９に固定される。これに代わる別の固定を行うこともできる。
【００５８】
更に、各キャリア６１は、好ましくは棒状に構成され、固定片６２に接続されたホルダ６４を有する。固定装置３３ａのホルダ６４同士は、互いに平行に延びる。これらは、Ｕ字脚部７と平行に延び、Ｕ字底部６と垂直な固定片６２から遠ざかるように延びる。連結クサビ５９は、各ホルダ６４にしっかり固定される。各連結クサビ５９は、連結するホルダ６４から離れた側にある斜めに延びるクサビ自由面６５を有する。固定装置３３ａのクサビ面６５同士は、互いに向き合っている。リンク・ピン７１が各連結クサビ５９に設けられ、隣接する作動装置３２ａのリンク５４に係合する。
【００５９】
固定装置３３ａの２つのホルダ６４は、２本のガイド・ロッド６６によって互いに接続される。ガイド・ロッド６６は、互いに平行且つホルダ６４と略垂直に延びる。これらは、Ｕ字底部６及びＵ字脚部７と平行に延びる。これらは、互いに対向するホルダ６４の長手方向両端の領域でホルダ６４にしっかりと固定される。ガイド・ロッド６６は、アーマチュア３の長手方向の両側辺から間隔をあけて延びる。
【００６０】
把持クサビ６０は、ガイド・ロッド６６に沿って移動可能に案内される。このため、これらは、対応するガイド凹部６７を有している。各把持クサビ６０は、連結された連結クサビ５９のクサビ面６５上にあって斜めに延びるクサビ面６８を有する。更に、各把持クサビ６０は、クサビ面６８の反対側に配置される直立した把持自由面４７ａを有する。把持面４７ａは、アーマチュア３を固定する固定部を形成する。固定装置３３ａの把持面４７ａ同士は、互いに向き合っている。少なくとも１つのバネ要素７０が、固定装置３３ａの２つの把持クサビ６０の間に設けられる。バネ要素７０を形成する圧力コイルばねが、ここでは各ガイド・ロッド６６上に配置される。しかし、圧力コイルばね７０の代わりに、板バネを設けることが好ましい。圧力コイルばね７０は、固定装置３３ａの把持クサビ６０の把持面４７ａに支持される。例えば、連結クサビ５９の摺動クサビ面６５上のＴ状ガイド溝を設けて使用する場合、バネ要素７０は、完全に省くことができる。
【００６１】
以下に、作動装置３２ａ又は固定装置３３ａの機能形態を説明する。この場合、作動装置３２ａ又は固定装置３３ａは、図１４及び１６に示す解除位置にあると想定する。クサビ機構５８の把持面４７ａ同士は、ここでは互いに離間している。把持面４７ａ同士の間の間隔は、アーマチュア３の幅より大きい。アーマチュア３は、長手方向の中心軸１３に沿って動くことができる。アーマチュア３は、開口４１を通過してもよい。
【００６２】
少なくとも１つの作動装置３２ａ又は固定装置３３ａが、アーマチュア３を固定するために作動されなければならない。このために、作動ハンドル３６を使用することが好ましい。作動装置３２ａの初期回動時に、センタリング側面４８ａがアーマチュア３の隣接する長手方向端部上に同時に配置され、アーマチュア３がその長手方向の中心軸１３に沿って移動する。アーマチュア３は、別の作動装置３２ａに向かって押される。この場合、空転部５５が、各リンク・ピン７１を通り過ぎる。各リンク・ピン７１とリンク５４の間で力は伝達されない。このように、空転部５５には作動機能がない。固定装置３３ａは、まだ作動されていない。
【００６３】
作動装置３２ａを更に回動すると、リンク・ピン作動部５６が各リンク・ピン７１に達する。これは、図１７及び１８に示される。ここでは、リンク・ピン作動部５６とリンク・ピン７１の間で力伝達が行われる。この場合、互いに突合するクサビ面６５、６８の間で、相対運動が行われる。このようにして、把持面４７ａ同士が互いに接近する。これらは、既に中心に配置されて今は把持面４７ａと固定装置３３ａの間に位置するアーマチュア３にも接近する。固定装置３３ａの把持面４７ａの誘導に伴って、バネ要素７０が圧縮される。
【００６４】
図１９に最終固定位置を示す。固定装置３３ａの把持面４７ａは、アーマチュア３上横側に平面的に配置され、互いに対向している。把持面４７ａにより、アーマチュア３は局所的に固定され、また、このプロセスにおいて、アーマチュア３は中央に配置される。ここでは、クランプ固定が用いられる。リンク・ピン７１は、固定部５７内にあり、そこに固定される。固定装置３３ａは、長手方向の中心軸１３に沿って互いに離間された２箇所でアーマチュア３を確実に固定する。仮想的な前面と背面の固定が行われる。
【００６５】
作動装置３２ａを逆作動させることで、ここでも同様にアーマチュア３は再び解除される。
【００６６】
図２０〜２５を参照し、以下に本発明の第３の実施形態を説明する。前述の実施形態と同一の構成要素には同じ符号を付して、ここで参照する。以下、構造的には異なるが機能的に同様の構成要素については、同じ符号に「ｂ」を付して示す。前述の２つの実施形態とは、作動装置３２ｂ及び固定装置３３ｂの構成において異なる。作動装置３２ｂは、第２の実施形態に係る作動装置３２ａと類似する。
【００６７】
ポンプは、正確には１つの作動装置３２ｂを有する。しかし、ここでも２つの作動装置３２ｂを設けてもよい。作動装置３２ｂも、その中心軸３４に対し点対称となった円形状の作動ディスク５２ｂを有する。作動ハンドル３６が、作動ディスク５２ｂから半径方向に突出している。作動ディスク５２ｂは、その端面上を貫通する開口４１を有する。更に、作動ディスク５２ｂには、その内面３８に形成された２つのリンク５４ｂが設けられる。リンク５４ｂは、溝形状であってもよい。また、これらは、作動ディスク５２ｂを完全に貫通してもよい。リンク５４ｂは、中心軸３４を中心に湾曲して延びる。
【００６８】
各リンク５４ｂは、リンク・ピン作動部５６ｂ及び半径方向内側にある固定部５７を有する。リンク・ピン作動部５６ｂは、開口４１の長手方向端部４２又は４３の領域から延びる。これらは、図２３によれば、開口４１から時計回りに延び、その過程において、中心軸３４に接近する。長手方向端部４２、４３に近接する領域において、リンク・ピン作動部５６ｂは、リンク・ピン作動部５６ｂの内端にあって第２の曲率半径より大きい第１の曲率半径を有する。リンク・ピン作動部５６ｂの内端には、一直線に延びて中心軸３４から略一定の間隔を有する固定部５７ｂが隣接する。
【００６９】
ポンプは、２つの固定装置３３ｂを有する。各固定装置３３ｂは、固定片６２ｂにより隣接したくびき９にしっかりと固定されたキャリア６１ｂを有する。少なくとも１つのガイド・ロッド６６ｂが、各固定片６２ｂに固定される。ここでは、２つのガイド・ロッド６６ｂが固定片６２ｂごとに設けられ、互いに平行に延びる。ガイド・ロッド６６ｂは、Ｕ字脚部７と平行且つＵ字底部と略垂直に延びる。
【００７０】
ガイド・ロッド６６ｂ上では、２つのクランプ状で細長い固定部４７ｂが移動可能にガイドされる。これら固定部４７ｂは、同一形状に構成される。各固定部４７ｂは、ガイド・ロッド６６ｂが通り抜ける２つのガイド凹部６７ｂを有する。いずれの固定部４７ｂも、長細い溝形状又はチャネル状の包囲受け部７５を有している。包囲受け部７５は、互いに対向する導入開口７２を有する。
【００７１】
各包囲受け部７５は、２つの長手方向側辺と２つの長手方向端部７６を有する。傾斜面として構成されて包囲受け部７５の軸方向の境界となるセンタリング側面４８ｂが、各長手方向端部７６に設けられる。傾斜面として構成されて包囲受け部７５横側の境界となるセンタリング側面６３が、各長手方向側辺上に設けられる。センタリング側面４８ｂ同士は、互いに対向している。センタリング側面４８ｂの領域において、包囲受け部７５の長さは、外側から内側に向かって減少する。センタリング側面７３同士は、互いに対向している。センタリング側面７３の領域において、包囲受け部７５の幅は、外側から内側に向かって減少する。
【００７２】
更に、固定部４７ｂの各長手方向端部７６には、軸方向に突出するリンク・ピン７１が設けられる。ポンプが組み立てられた際には、リンク・ピン７１がリンク５４ｂと係合する。
【００７３】
ポンプの動作態様を、以下に更に詳細に説明する。この場合、図２２に示す動作位置を想定している。ここでは、固定部４７ｂがアーマチュア３から離間して配置されるため、アーマチュア３は解除され、その長手方向の中心軸１３に沿って動くことができる。
【００７４】
ダイヤフラム２を取り替えるためには、作動ハンドル３６により、中心軸３４を中心に作動装置３２ｂを回動させる必要がある。この場合、それに伴ってリンク５４ｂも移動する。リンク５４ｂとリンク・ピン７１の間で、相対運動が行われる。リンク・ピン７１は、リンク・ピン作動部５６ｂに沿って固定部５７ｂに向かって移動する。この場合、このリンク結合により、固定部４７ｂが作動され、ガイド・ロッド６６ｂに沿って互いに向かって移動する。図２５に示す固定位置では、固定部４７ｂとアーマチュア３が係合する。アーマチュア３の２つの長手方向側辺は、包囲受け部７５内に位置している。固定位置において、リンク・ピン７１は、固定部５７ｂに局所的に固定される。固定装置３３ｂは、長手方向の中心軸１３に沿って互いに離間された２箇所でアーマチュア３を確実に固定する。前面と背面の固定が実質的に行われる。
【００７５】
固定部４７ｂがアーマチュア３に接近すると、センタリング側面４８ｂが、長手方向の中心軸１３に沿ってアーマチュア３のセンタリングを行う。更に、センタリング側面７３が、アーマチュア３のセンタリングをその長手方向の中心軸１３の横側で行う。
【００７６】
図２６〜３２を参照し、以下に本発明の第４の実施形態を説明する。前述の実施形態と同一の構成要素には同じ符号を付して、ここで参照する。以下、構造的には異なるが機能的に同様の構成要素については、同じ符号に「ｃ」を付け足して示している。前述の２つの実施形態とは、作動装置３２ｃ及び固定装置３３ｃの構成において異なっている。
【００７７】
ポンプは、２つの作動装置３２ｃと２つの固定装置３３ｃを含む。ここではポンプを組み立てた際にはＵ字底部６と隣接してくびき９上にしっかりと固定された２つの固定片６２ｃが設けられる。互いに平行な２つのホルダ６４ｃは、各固定片６２ｃに強固に接続され、Ｕ字底部６から遠ざかるように延び、いずれもその自由端に軸受開口７９を有する。ホルダ６４ｃは、Ｕ字底部６と垂直に延びる。固定装置３３ｃの軸受開口７９は、Ｕ字底部６と平行に延びる共通の軸受中心軸を有する。各軸受開口７９において、固定部４７ｃが、Ｕ字底部６と平行に移動可能にガイドされる。いずれの固定部４７ｃも、ピン状又はボルト状に、好ましくは断面が円形となるように構成される。これらは、外側にある作動端部８０と内側にある固定端部８１をそれぞれ有している。固定部４７ｃは、固定端部８１の領域において円錐形に先細になっており、センタリング部４８ｃを形成する。作動端部８０の領域においては、固定部４７ｃは、いずれも、半径方向に突出したヘッドを有している。各固定部４７ｃには、コイルばね８２が配置される。これは、いずれも固定部４７ｃのヘッド及び各ホルダ６４ｃに配置され、固定部４７ｃを外側に又はホルダ６４ｃから離れるように押圧する。
【００７８】
作動装置３２ｃは、いずれも環形状である。作動装置３２ｃは、半径方向に突出する作動ハンドル３６をそれぞれ有している。各作動装置３２ｃには、同一形状に構成され、中心軸３４を中心に各作動装置３２ｃの端部回りに延びる２つの制御カム５４ｃが設けられる。制御カム５４ｃは、中心軸３４に向かって開口する。各制御カム５４ｃは、制御カム開始端８４と制御カム終端８５を有する。中心軸３４から制御カム５４ｃの境界である基底面までの半径方向の距離は、制御カム開始端８４から制御カム終端８５の方向に向かって減少し、リンク・ピン作動部５６ｃを形成する。この減少は、定期的または不定期に起こる。
【００７９】
アーマチュア３内には、固定凹部８６が構成される。アーマチュア３の各長手方向端部の領域には、互いに対向し、Ｕ字底部６と平行に延びる中心軸を有する２つの固定凹部８６が設けられる。固定凹部８６は、円錐状に構成され、隣接する固定部４７ｃに向かって開口する。固定凹部８６は、外側から内側に向かって先細になっている。
【００８０】
ポンプが組み立てられた際、固定部４７ｃのヘッドは、制御カム５４ｃの内側に配置される。ヘッドは、コイルばね８２により制御カム５４ｃに押し付けられる。固定装置３３ｃの固定部４７ｃの固定端部８１同士は、互いに対向する。固定部４７ｃは、リンク・ピン７１ｃを形成する。
【００８１】
ポンプの動作態様を、以下に更に詳細に説明する。この場合、図３０が開始点となる。図３０では、アーマチュア３は解除されている。固定端部８１は、固定凹部８６から離間している。作動装置３２ｃの回動時に、作動端部８０が制御カム５４ｃ上を摺動する。この場合、固定部４７ｃは、リンク・ピン作動部５６ｃ内で制御カム５４ｃにより、互いに向かって又はアーマチュア３に向かって押圧される。
【００８２】
図３１に見られるように、固定部４７ｃと固定凹部８６を円錐状に構成したため、アーマチュア３のセンタリングは、固定凹部８６に固定部４７ｃを挿入することにより行われる。
【００８３】
図３２に示すように、アーマチュア３は局所的に固定される。固定部４７ｃ及び固定凹部８６は、確動接続される。固定装置３３ｃは、長手方向の中心軸１３に沿って互いに離間された２箇所でアーマチュア３を確実に固定している。前面と背面の固定が実質的に行われる。
【図１】
2013532799.tif 000003
【図２】
2013532799.tif 000004
【図３】
2013532799.tif 000005
【図４】
2013532799.tif 000006
【図５】
2013532799.tif 000007
【図６】
2013532799.tif 000008
【図７】
2013532799.tif 000009
【図８】
2013532799.tif 000010
【図９】
2013532799.tif 000011
【図１０】
2013532799.tif 000012
【図１１】
2013532799.tif 000013
【図１２】
2013532799.tif 000014
【図１３】
2013532799.tif 000015
【図１４】
2013532799.tif 000016
【図１５】
2013532799.tif 000017
【図１６】
2013532799.tif 000018
【図１７】
2013532799.tif 000019
【図１８】
2013532799.tif 000020
【図１９】
2013532799.tif 000021
【図２０】
2013532799.tif 000022
【図２１】
2013532799.tif 000023
【図２２】
2013532799.tif 000024
【図２３】
2013532799.tif 000025
【図２４】
2013532799.tif 000026
【図２５】
2013532799.tif 000027
【図２６】
2013532799.tif 000028
【図２７】
2013532799.tif 000029
【図２８】
2013532799.tif 000030
【図２９】
2013532799.tif 000031
【図３０】
2013532799.tif 000032
【図３１】
2013532799.tif 000033
【図３２】
2013532799.tif 000034
【手続補正書】
【提出日】平成24年5月31日(2012.5.31)
【手続補正１】
【補正対象書類名】特許請求の範囲
【補正対象項目名】全文
【補正方法】変更
【補正の内容】
【特許請求の範囲】
【請求項１】
ａ）ポンプ・ハウジング（１）は、
ｂ）少なくとも１つの流体流入口（２６）と、
ｃ）前記少なくとも１つの流体流入口（２６）と流路接続する少なくとも１つのポンプ室（４）と、
ｄ）前記少なくとも１つのポンプ室（４）と流路接続する少なくとも１つの流体流出口（２５）を有し、
ｅ）少なくとも１つの駆動可能なポンプ本体（２）は、
ｆ）少なくとも部分的に前記少なくとも１つのポンプ室（４）の境界となり、
ｇ）少なくとも１つのポンプ本体駆動機構は、
ｈ）前記少なくとも１つのポンプ本体（２）に接続されて前記少なくとも１つのポンプ本体（２）を駆動する少なくとも１つのポンプ本体駆動機構（３）を有し、前記少なくとも１つのポンプ本体駆動機構（３）は、移動経路に沿って可動であり、
ｉ）前記少なくとも１つのポンプ本体駆動機構（３）固定用の少なくとも１つの作動可能な固定装置（３３；３３ａ；３３ｂ；３３ｃ）は、
ｊ）解除位置で前記少なくとも１つのポンプ本体駆動機構（３）を解除し、前記少なくとも１つのポンプ本体駆動機構（３）をその移動経路に沿って可動とし、
ｋ）固定位置で前記少なくとも１つのポンプ本体駆動機構（３）を固定し、少なくとも１つのポンプ本体（２）の交換を可能とし、
ｌ）前記ポンプ・ハウジング（１）に作動可能に取り付けられた少なくとも１つの作動装置（３２；３２ａ；３２ｂ；３２ｃ）により作動することができ、
ｍ）前記少なくとも１つの作動装置（３２；３２ａ；３２ｂ；３２ｃ）により移動されて前記ポンプ本体駆動機構（３）を固定することができ、前記解除位置と前記固定位置の間で可動であり、その固定位置で、少なくともその移動経路の方向に前記ポンプ本体駆動機構（３）を固定する少なくとも１つの固定部（４７；８７；４７ａ；４７ｂ；４７ｃ）を備えることを特徴とする、流体搬送用ポンプ。
【請求項２】
ａ）ポンプ・ハウジング（１）は、
ｂ）少なくとも１つの流体流入口（２６）と、
ｃ）前記少なくとも１つの流体流入口（２６）と流路接続する少なくとも１つのポンプ室（４）と、
ｄ）前記少なくとも１つのポンプ室（４）と流路接続する少なくとも１つの流体流出口（２５）を有し、
ｅ）少なくとも１つの駆動可能なポンプ本体（２）は、
ｆ）少なくとも部分的に前記少なくとも１つのポンプ室（４）の境界となり、
ｇ）少なくとも１つのポンプ本体駆動機構は、
ｈ）前記少なくとも１つのポンプ本体（２）に接続されて前記少なくとも１つのポンプ本体（２）を駆動する少なくとも１つのポンプ本体駆動機構（３）を有し、前記少なくとも１つのポンプ本体駆動機構（３）は、移動経路に沿って可動であり、
ｉ）前記少なくとも１つのポンプ本体駆動機構（３）固定用の少なくとも１つの作動可能な固定装置（３３；３３ａ；３３ｂ；３３ｃ）は、
ｊ）ポンプが稼動状態の場合に解除位置にあって、前記解除位置で前記少なくとも１つのポンプ本体駆動機構をその移動経路に沿って可動とし、
ｋ）固定位置において、前記少なくとも１つのポンプ本体駆動機構をその移動経路の方向に、及び、その移動経路の横側でセンタリングし、前記少なくとも１つのポンプ本体駆動機構をその移動経路の方向に、及び、その移動経路の横側で更に固定し、
ｌ）前記少なくとも固定装置（３３；３３ａ；３３ｂ；３３ｃ）によって前記固定位置に前記少なくとも１つのポンプ本体駆動機構を維持しながら、前記少なくとも１つのポンプ本体駆動機構から前記少なくとも１つのポンプ本体（２）が取り外されてもよいことを特徴とする、流体搬送用ポンプ。
【請求項３】
前記固定装置（３３；３３ａ；３３ｂ；３３ｃ）は、前記ポンプ・ハウジング（１）に作動可能に、好ましくは回動可能に取り付けられた少なくとも１つの作動装置（３２；３２ａ；３２ｂ；３２ｃ）により作動することができ、前記少なくとも１つの作動装置（３２；３２ａ；３２ｂ；３２ｃ）は、好ましくはその作動のために少なくとも１つの作動手段（３６）を含むことを特徴とする請求項２記載のポンプ。
【請求項４】
前記固定装置（３３；３３ａ；３３ｂ；３３ｃ）は、前記作動装置（３２；３２ａ；３２ｂ；３２ｃ）により移動されて前記ポンプ本体駆動機構（３）を固定することができる少なくとも１つの固定部（４７；８７；４７ａ；４７ｂ；４７ｃ）を備え、前記少なくとも１つの固定部（４７；８７；４７ａ；４７ｂ；４７ｃ）は、前記解除位置と前記固定位置の間で可動であることを特徴とする請求項３記載のポンプ。
【請求項５】
前記固定部（４７；４７ａ；４７ｂ；４７ｃ）は、その固定位置で、少なくともその移動経路の方向に前記ポンプ本体駆動機構（３）を固定することを特徴とする請求項１又は４記載のポンプ。
【請求項６】
前記ポンプ本体駆動機構（３）をセンタリングするための少なくとも１つの作動可能なセンタリング部（４８；４８ａ；４８ｂ；７３；４８ｃ）により特徴づけられ、前記少なくとも１つのセンタリング部（４８；４８ａ；４８ｂ；７３；４８ｃ）は、好ましくは前記ポンプ本体駆動機構（３）と相互作用するための少なくとも１つのセンタリング側面を有する上記請求項のいずれか１項に記載のポンプ。
【請求項７】
前記センタリング部（４８；４８ａ；４８ｂ；４８ｃ）は、前記ポンプ本体駆動機構（３）をその移動経路の方向にセンタリングすることを特徴とする請求項６記載のポンプ。
【請求項８】
前記センタリング部（４８；４８ａ；７３；４８ｃ）は、前記ポンプ本体駆動機構（３）をその移動経路の横側でセンタリングすることを特徴とする請求項６又は７記載のポンプ。
【請求項９】
前記センタリング部（４８；４８ａ；４８ｂ；７３；４８ｃ）は、前記固定装置（３３；３３ａ；３３ｂ；３３ｃ）に接続されることを特徴とする請求項６〜８のいずれか１項に記載のポンプ。
【請求項１０】
前記固定装置（３３ａ）は少なくとも１つのクサビ機構（５８）を有し、前記少なくとも１つのクサビ機構（５８）は、前記作動装置（３２ａ）により作動させることができる連結クサビ（５９）と、クサビ状に構成されて前記連結クサビ（５９）と相互に作用する前記固定部（４７ａ）と、好ましくは前記固定部（４７ａ）をその解除位置へ移動させるために設けられた少なくとも１つのバネ要素（７０）を有することを特徴とする請求項１〜９のいずれか１項に記載のポンプ。
【請求項１１】
前記固定装置（３３ｂ）は、ポンプ本体駆動機構（３）を少なくとも部分的に包囲する少なくとも１つの包囲体（４７ｂ）を有し、前記少なくとも１つの包囲体（４７ｂ）は、好ましくは少なくとも１つの包囲受け部（７５）を有することを特徴とする請求項１〜９のいずれか１項に記載のポンプ。
【請求項１２】
前記固定部（４７ａ；４７ｂ；４７ｃ）及び前記作動装置（３２ａ；３２ｂ；３２ｃ）は、少なくとも１つのリンク装置により互いに連結され、前記少なくとも１つのリンク装置は、少なくとも１本のリンク・ピン（７１；７１ｃ）と、前記少なくとも１本のリンク・ピン（７１；７１ｃ）を誘導するための少なくとも１つのリンク（５４；５４ｂ；５４ｃ）を有することを特徴とする請求項１〜１１のいずれか１項に記載のポンプ。
【請求項１３】
前記リンク（５４；５４ｂ；５４ｃ）は、前記リンク・ピン（７１；７１ｃ）を作動させる少なくとも１つのリンク・ピン差動部（５６；５６ｂ；５６ｃ）を有し、また前記リンク（５４；５４ｂ；５４ｃ）は、好ましくは前記リンク・ピン（７１；７１ｃ）を局所的に固定する固定部（５７；５７ｂ）も有することを特徴とする請求項１２記載のポンプ。
【請求項１４】
前記リンク・ピン（７１；７１ｃ）は、前記固定部（４７ｃ）を形成することを特徴とする請求項１３記載のポンプ。
【請求項１５】
前記作動装置（３２）及び前記固定装置（３３）は、互いに強固に接続され、前記固定部（４７）は、好ましくは前記ポンプ本体駆動機構（３）を配置するための固定面として構成されることを特徴とする請求項１〜９のいずれか１項に記載のポンプ。
【請求項１６】
前記作動装置（３２）は、前記固定部（４７）の固定位置において、前記ポンプ本体駆動機構（３）上に配置され、前記作動装置（３２）をその固定位置に保持する少なくとも１つの弾性バネ手段（５０）を備えることを特徴とする請求項１５記載のポンプ。
【手続補正２】
【補正対象書類名】明細書
【補正対象項目名】全文
【補正方法】変更
【補正の内容】
【発明の詳細な説明】
【技術分野】
【０００１】
本発明は、ポンプに関し、特に、流体搬送用のダイヤフラム・ポンプに関する。搬送される流体は、液体、ガス、ガス混合物又は液体／ガス混合物などの被搬送媒体を意味するものと解される。ポンプは、小規模下水処理施設での継続的稼動に使用されることが好ましい。この種の小規模下水処理施設は、多くの場合、下水道に繋がっていない建物内で汚水を浄化するために使用される。好ましくは、ポンプは、汚水に空気を導入するために使用される。こうして、汚水中の酸素が豊富になる。そして、バクテリアが活性化し、汚水の生物的又は細菌浄化がなされる。したがって、ポンプは、曝気ポンプであることが好ましい。
【背景技術】
【０００２】
数多くのポンプが従来技術で知られており、例えば、小規模下水処理場で使用される。これら公知のポンプの欠点は、大抵の場合、そのダイヤフラムなどの摩耗部品を数年おきに交換しなくてはならないことである。摩耗部品の交換には、比較的時間がかかる。一般に、摩耗部品の交換には技術的熟練が必要である。
【０００３】
ドイツ特許第１０  ２００８  ０４９  ９００  Ｂ３号は、ポンプ・ハウジングと、ポンプ・ハウジングに収容されてポンプ室の境界を形成するダイヤフラムを有するポンプを開示する。ダイヤフラムは、駆動機構によって駆動可能となっている。ダイヤフラムの交換は難しく、時間がかかる。
【０００４】
米国特許第６，１５２，７０４号は、ポンプ本体を有するポンプを開示する。ポンプ本体は、タービン駆動装置に取り外し可能に取り付けられている。タービン駆動装置のＬ字状の固定タブと可動レバー・アームが、ポンプ本体の環状フランジに係合し、所定の位置にポンプ本体を固定する。
【０００５】
米国特許第５，０１１，３７９号は、ハウジングと、ハウジング内に収容された振動器を有するポンプを開示する。振動器は、磁石ホルダと、１対の磁石によって構成される。
【０００６】
米国特許第４，５６３，６０３号は、ロッド・ホルダを有するポンプを開示する。ロッド・ホルダは、ベースとアーマチュアを運ぶ往復ロッドとに固定される。ダイヤフラムは、往復ロッドに接続される。
【発明の概要】
【発明が解決しようとする課題】
【０００７】
よって、本発明は、摩耗部品を特に容易且つ迅速に交換することができるポンプを提供するという目的に基づく。
【課題を解決するための手段】
【０００８】
本発明によれば、この目的は、請求項１に開示される特徴によって達成される。本発明の主要部は、少なくとも１つのポンプ本体駆動機構を、少なくとも１つの固定装置によって局所的に固定できることである。特に、このことにより、ポンプ本体駆動機構が不用意に移動したり、メンテナンス作業中に移動することを防止する。このように、例えば、ポンプ本体の簡単な交換が可能となる。
【０００９】
よって、例えば、メンテナンス作業中において、少なくとも１つの駆動用磁石を含むポンプ本体駆動機構が、少なくとも１つの固定型駆動磁石に引き付けられてそこに固定されることを防ぐことができる。一般に、磁石同士を引き離すことは非常に難しい。この種のポンプ本体駆動機構は、少なくとも１つの第１の駆動用磁石を有することが好ましい。少なくとも１つのポンプ本体駆動機構が、少なくとも１つのポンプ本体駆動機構と隣接して配置されて少なくとも１つのポンプ本体駆動機構をその移動経路に沿って移動させる少なくとも１つの第２の駆動用磁石を更に有すると有利である。あるいは、ポンプ本体駆動装置の別の構成も可能である。
【００１０】
少なくとも１つのポンプ本体は、例えば、ダイヤフラムとして構成してもよい。または、ピストンであってもよい。好ましくは、２つのポンプ本体が設けられる。２つの固定装置が設けられることも有利である。これらを互いに独立して作動できることが好ましい。また、固定装置同士を互いに連結して共に作動させてもよい。
【００１１】
好ましくは、固定装置は、ポンプ・ハウジングに回動可能に取り付けられた少なくとも１つの作動装置により作動させることができる。好ましくは、少なくとも１つの作動装置は、その作動のために少なくとも１つの作動手段を含む。
【００１２】
従属請求項に、更に有利な構成が開示される。
【００１３】
好ましくは、固定装置は、ポンプ・ハウジングに作動可能に、好ましくは回動可能に取り付けられた少なくとも１つの作動装置により作動することができ、少なくとも１つの作動装置は、好ましくはその作動のために少なくとも１つの作動手段を含む。かかる構成により、固定装置を簡単に作動又は取り扱いできる。各固定装置に１つの作動装置が設けられることが好ましい。あるいは、２つの固定装置が１つの作動装置によって作動されてもよい。作動装置は、移動可能に又は回動可能にポンプ・ハウジングに取り付けられてもよく、好ましくは少なくとも１つの作動手段を含む。考えられる作動手段の例として、作動ハンドルやハンドル・トラフがある。また、作動手段は、ローレット切りにより製造されていてもよい。作動装置は、ポンプ・ハウジングの内側又は外側に取り付けることができる。作動装置を内側に取り付ける場合の作動手段は、ポンプ・ハウジングに形成された凹部を通ってポンプ・ハウジングから突出することができる作動ハンドル又はレバーとして構成されることが好ましい。
【００１４】
好ましくは、固定装置は、作動装置により移動されてポンプ本体駆動機構を固定することができる少なくとも１つの固定部を備え、この少なくとも１つの固定部は、解放位置と固定位置の間で可動である。かかる構成により、ポンプ本体駆動機構の固定は、非常に機能的に信頼性のあるものとなる。固定部は、ポンプ本体駆動機構内に、好ましくは確実に係合されてもよい。そして、そのためにポンプ本体駆動機構は、対応する少なくとも１つの凹部又は開口を有することが好ましい。あるいは、固定部は、ポンプ本体駆動機構の外側に配置されてもよく、横側又は端面に配置されてもよい。また、固定部は、クランプ状にポンプ本体駆動機構を部分的に包囲してもよい。各固定装置が、１つ又は２つの固定部を有することが好ましい。
【００１５】
好ましくは、固定部は、その固定位置で、少なくともその移動経路の方向にポンプ本体駆動機構を固定する。かかる構成は、機能的に高い信頼性で、ポンプ本体駆動機構のその移動経路に沿った更なる移動を防止する。また、代替的または追加的に、ポンプ本体駆動機構は、その移動経路の横側で固定されてもよい。少なくとも１つの固定部は、その固定位置で、ポンプ本体駆動機構をその移動経路の方向に対し、そして好ましくはその移動方向の横側で固定するように構成されることが好ましい。異なる方向に作用する固定は、共通の固定部によって又は互いに分離した固定部によって達成することができる。
【００１６】
好ましくは、ポンプ本体駆動機構をセンタリングするための少なくとも１つの作動可能なセンタリング部が設けられ、この少なくとも１つのセンタリング部は、好ましくはポンプ本体駆動機構と相互作用するための少なくとも１つのセンタリング側面を有する。かかる構成により、ポンプ本体駆動機構を非常に正確に配置することができる。よって、その所望の固定位置に正確に誘導することができる。
【００１７】
好ましくは、センタリング部は、ポンプ本体駆動機構をその移動経路の方向にセンタリングする。好ましくは、センタリング部は、ポンプ本体駆動機構をその移動経路の横側でセンタリングする。かかる構成により、ポンプ本体駆動機構の配置が非常に正確なものとなる。
【００１８】
好ましくは、センタリング部は、固定装置に接続される。かかる構成により、非常に高い機能的信頼性が得られる。更に、この種のポンプは、メンテナンスの際の取り扱いが非常に容易である。
【００１９】
好ましくは、固定装置は少なくとも１つのクサビ機構を有し、この少なくとも１つのクサビ機構は、作動装置により作動させることができる連結クサビと、クサビ状に構成されて連結クサビと相互に作用する固定部と、好ましくは固定部をその解放位置へ移動させるために設けられた少なくとも１つのバネ要素を有する。かかる構成は、非常に機能的に信頼性のある固定装置を実現する。連結クサビ及びクサビ状に構成された固定部は、そのクサビ面により互いに摺動接続する。連結クサビの作動により固定部が移動し、これにより移動偏向が起こる。１つの固定部につき２つのクサビ機構が設けられることが好ましい。また、各固定装置が２つの固定部を有することが好ましく、これら固定部の間には、その解除位置へ移動させるためのバネ要素を設けることができる。バネ要素は、板バネ、コイルばね、エラストマースプリングとして、又はスプリング・ブロックとして構成してもよい。バネ要素の代わりにこれに対応するガイドも設けて、固定部を元に戻すようにしてもよい。そのために、例えば、蟻継ぎガイドを用いてもよい。固定位置では、固定部がポンプ本体駆動機構の横側に配置されることが好ましい。
【００２０】
好ましくは、固定装置は、ポンプ本体駆動機構を少なくとも部分的に包囲する少なくとも１つの包囲体を有し、この少なくとも１つの包囲体は、好ましくは少なくとも１つの包囲受け部を有する。かかる構成でも、ポンプ本体駆動機構の固定が非常に信頼性の高いものとなる。固定位置では、包囲体は、ポンプ本体駆動機構をその長手方向両辺の領域で包囲することが好ましい。包囲体とポンプ本体駆動機構の間は、確動接続されることが好ましい。
【００２１】
好ましくは、固定部及び作動装置は、少なくとも１つのリンク装置により互いに連結され、この少なくとも１つのリンク装置は、少なくとも１本のリンク・ピンと、少なくとも１本のリンク・ピンを誘導するための少なくとも１つのリンクを有する。かかる構成により、固定部の作動が容易で機能的に信頼性があるものとなる。リンク・ピンが固定部に接続されたままで、作動装置内又は上にリンクを構成することが好ましい。代替的な実施形態によれば、リンクは固定部上に構成され、一方、リンク・ピンは作動装置上に設けられる。
【００２２】
好ましくは、リンクは、リンク・ピンを作動させる少なくとも１つのリンク・ピン差動部を有し、またリンクは、好ましくはリンク・ピンを局所的に固定する固定部も有する。かかる構成は、特に操作上の信頼性が高い。
【００２３】
好ましくは、リンク・ピンは、固定部を形成する。かかる構成は、非常に単純な構造を有する。リンクは、リンク・カム又は制御カムとして構成されることが好ましい。固定部をリンク・カムと接触させるバネ要素は、各固定部と連結されることが好ましい。
【００２４】
好ましくは、作動装置及び固定装置は、互いに強固に接続され、固定部は、好ましくはポンプ本体駆動機構を配置するための固定面として構成される。かかる構成もまた、構造に関しては非常に単純である。また、非常に組み立て易く、機能的に信頼性がある。
【００２５】
好ましくは、作動装置は、固定部の固定位置において、ポンプ本体駆動機構上に配置されて作動装置をその固定位置に保持する少なくとも１つの弾性バネ手段を備える。かかる構成により、動作信頼度が非常に高くなる。
【図面の簡単な説明】
【００２６】
以下に、本発明の４つの実施形態を、添付図面を参照しながら一例として説明する。
【００２７】
【図１】図１は、本発明の第１の実施形態に係るポンプの斜視図を示す。
【図２】図２は、図１に示すポンプの断面を示す。
【図３】図３は、図１及び２に示すポンプの分解図を示す。
【図４】図４は、図１〜３に示すポンプの作動装置又は固定装置の図を示す。
【図５】図５は、図４に示す切断線Ｖ−Ｖに沿った断面を示す。
【図６】図６は、ポンプ本体駆動機構が解除されている場合の図１〜３に示すポンプの断面を示す。
【図７】図７は、ポンプ本体駆動機構が解除されている場合の図１〜３に示すポンプの断面を示す。
【図８】図８は、固定装置がそのセンタリング位置にある場合の図１〜３に示すポンプの図を示す。
【図９】図９は、図８の切断線ＩＸ−ＩＸに沿った断面を示す。
【図１０】図１０は、固定装置がその固定位置に位置した場合の図１〜３に示すポンプの断面を示す。
【図１１】図１１は、固定装置がその固定位置に位置した場合の図１〜３に示すポンプの断面を示す。
【図１２】図１２は、本発明の第２の実施形態に係るポンプの斜視図を示す。
【図１３】図１３は、図１２に示すポンプの分解図を示す。
【図１４】図１４は、図１２及び１３に示すポンプの固定装置、作動装置及びポンプ本体駆動機構の斜視図を示す。
【図１５】図１５は、図１２及び１３に示すポンプの作動装置の斜視図を示す。
【図１６】図１６は、固定装置がその解除位置にある場合の図１２及び１３に示すポンプの面を示す。
【図１７】図１７は、固定装置がそのセンタリング位置にある場合の図１２及び１３に示すポンプの断面を示す。
【図１８】図１８は、固定装置がそのセンタリング位置にある場合の図１２及び１３に示すポンプの断面を示す。
【図１９】図１９は、固定装置がその固定位置にある場合の図１２及び１３に示すポンプの断面を示す。
【図２０】図２０は、本発明の第３の実施形態に係るポンプの斜視図を示す。
【図２１】図２１は、図２０に示すポンプの断面を示す。
【図２２】図２２は、ポンプ本体駆動機構が解除されている場合の図２０に示すポンプの更なる断面を示す。
【図２３】図２３は、図２０〜２２に示すポンプの作動装置の斜視図を示す。
【図２４】図２４は、図２０〜２２に示すポンプの固定装置及び作動装置の斜視図を示す。
【図２５】図２５は、固定装置がその固定位置にある場合の図２２に対応する断面を示す。
【図２６】図２６は、本発明の第４の実施形態に係るポンプの斜視図を示す。
【図２７】図２７は、ポンプ本体駆動機構が解除されている場合の図２６に示すポンプの断面を示す。
【図２８】図２８は、ポンプ本体駆動機構が解除されている場合の図２６に示すポンプの断面を示す。
【図２９】図２９は、図２６〜２８に示す固定装置、作動装置及びポンプ本体駆動機構の斜視図を示す。
【図３０】図３０は、ポンプ本体駆動機構が解除されている場合の図２６に示すポンプの固定装置、作動装置及びポンプ本体駆動機構の断面を示す。
【図３１】図３１は、固定装置がそのセンタリング位置にある場合の図３０に対応する断面を示す。
【図３２】図３２は、固定装置がその固定位置にある場合の図３０及び３１に対応する断面を示す。
【発明を実施するための形態】
【００２８】
以下に、本発明の第１の実施形態を、図１〜１１を参照して説明する。第１の実施形態のポンプは、ポンプ・ハウジング１、ダイヤフラム２及びダイヤフラム２を作動させるダイヤフラム駆動機構３を備える。ダイヤフラム２とダイヤフラム駆動機構３は、ポンプ・ハウジング１に収容される。ダイヤフラム２とポンプ・ハウジング１とで、容量が可変のポンプ室４の境界を形成する。ダイヤフラム２は柔軟であり、流体に対し不浸透性である。ダイヤフラム駆動機構３でダイヤフラム２を作動させてポンプ室４の容量を変えることにより、流体が搬送される。ダイヤフラム２はポンプ本体を構成し、一方、ダイヤフラム駆動機構３は、ポンプ本体駆動機構である。
【００２９】
ポンプ・ハウジング１は、Ｕ字形状にデザインされたパネル５を含む。そして、パネル５は、Ｕ字底部６と、Ｕ字底部６から垂直に突出するＵ字脚部７を有する。ポンプが組み立てられた際、パネル５の開口側は、いずれの場合も閉じられる。このために、第１のパネル・カバー（図示せず）が、Ｕ字底部６の反対側に設けられる。更に、２枚の第２のパネル・カバー（図示せず）が、互いに対向してＵ字底部６及びＵ字脚部７上横側に設置される。パネル・カバーは、ネジでパネル５に螺合されることが好ましい。これらが共にＵ字を形成し、第１のパネル・カバーがＵ字底部を形成する。Ｕ字底部６、Ｕ字脚部７及びパネル・カバーは、いずれも板状である。これらは共に直方体状の収容空間８の境界を形成し、共にポンプ・ハウジング１を形成する。
【００３０】
互いに離間して配置され、好ましくは鉄材料から形成された２本のくびき９が収容空間８内に設けられる。くびき９は、パネル５にしっかり固定される。これらは、Ｕ字底部６に固定されることが好ましい。各くびき９は、Ｅ字状であり、故に中央に指状の突起１０を有している。各突起１０にはコイル１１が巻き回されており、これにより電流が運ばれる。突起１０は、いずれもコイル１１のコアを形成しており、互いに向かって延びる。くびき９及びコイル１１は、電気駆動磁石１２を形成する。
【００３１】
くびき９同士とコイル１１同士の間には、アーマチュア、シャトルなどとして構成されたダイヤフラム駆動機構３が配置される。アーマチュア３は、可動であり板状である。そして、細長い長方形の形状をしており、よって長手方向に中心軸１３を有する。アーマチュア３は、その長手方向の中心軸１３に沿って軸方向に移動させることができる。アーマチュア３は、長手方向中心軸１３の方向に互いに隣接して配置された２つの窓形状の開口１５を有するフレーム１４を含む。各開口１５には、永久磁石１６が挿入される。永久磁石１６同士は、反対極が互いに近接して配置される。
【００３２】
アーマチュア３の永久磁石１６は、コイル１１に電流が流れた際に電気駆動磁石１２によって生じる磁界内に位置する。コイル１１に電流を流すことにより、アーマチュア３は、くびき９の間を軸方向に移動する。そして、アーマチュア３は、その長手方向の中心軸１３に沿って揺動する。この場合、互いに対向するＵ字脚部７にかわるがわる向かって移動する。
【００３３】
ダイヤフラム２は、アーマチュア３の互いに対向する長手方向両端にしっかり固定される。この場合、ダイヤフラム２の中心部がアーマチュア３に固定される。このため、ダイヤフラム２内部に配置されるように圧縮板をアーマチュア３に設けてもよい。外側には、ダイヤフラム２上に吸着板を配置し、連結する圧縮板に螺合する。
【００３４】
各Ｕ字脚部７には、Ｕ字脚部７を完全に貫通する開口１７が形成される。開口１７は円形であり、互いに対向している。その中心点は、ポンプが組み立てられた際にアーマチュア３の長手方向の中心軸１３上に位置する。
【００３５】
ポンプ・ハウジング１の構成部品であるポンプ・ヘッド１８は、各開口１７に連結される。各ポンプ・ヘッド１８は、各Ｕ字脚部７の外側にネジで保持されたシェル形状のチャンバ部１９を含む。ポンプ・ヘッド１８は、ポンプが組み立てられた際に互いに対向する。また、チャンバ部１９は、各Ｕ字脚部７の外側近くに各開口１７を一周して延びるダイヤフラム取り付け領域２０を有する。更に、各チャンバ部１９は、各Ｕ字脚部７から離間して配置されて各ポンプ室４の形成をする弁収容領域２１を有する。各チャンバ部１９は、ダイヤフラム取り付け領域２０と弁収容領域２１を互いに接続する周壁２２を更に有する。チャンバ部１９は、ダイヤフラム取り付け領域２０から弁収容領域２１の方向に向かって先細になる。
【００３６】
各弁収容領域２１には、圧力弁受け部２３と吸気弁受け部２４が形成される。圧力弁受け部２３は圧力開口２５と隣接して配置される一方、吸気弁受け部２４は吸込開口２６と隣接して設置される。圧力開口２５と吸込開口２６は、いずれも弁収容領域２１を完全に貫通して配置される。
【００３７】
更に、各ポンプ・ヘッド１８は、弁収容領域２１と隣接して各チャンバ部１９の外側にしっかりと配置されたバルブ・カバー２７を含む。バルブ・カバー２７は、各チャンバ部１９に螺合される。この場合、バルブ・カバー２７は、吸気弁受け部２４内で吸気バルブプレート２８を保持する。吸気バルブプレート２８は、吸込開口２６を閉じることができる。更に、バルブ・カバー２７は、圧力弁受け部２３内で圧力バルブプレート２９を保持する。圧力バルブプレート２９は、圧力開口２５を閉じることができる。バルブプレート２８及び２９は、開口２６又は２５が開放される閉鎖位置の間を移動させることができる。これらは、圧力制御される。各バルブ・カバー２７は、圧力ライン３０と吸込ライン３１を更に有する。圧力ライン３０は圧力開口２５に流路接続し、一方、吸込ライン３１は吸込開口２６と流路接続する。
【００３８】
ポンプは、更に２つの作動装置３２を備える。各作動装置３２は、回転不能に固定装置３３に接続される。作動装置３２及びそれに連結された固定装置３３は、いずれも一体で構成されることが好ましい。これらが、作動／固定ユニットを形成する。作動／固定ユニットは、筒状にデザインされる。これらは、それぞれ中心軸３４を有する。作動／固定ユニットは、ポンプが組み立てられた際に互いに対向する。
【００３９】
各作動装置３２は、環状の接触板３５と、接触板３５から半径方向に突出する作動ハンドル３６を含む。接触板３５は、いずれも外面３７と、外面３７とは反対側の内面３８を有する。接触板３５の外径は、開口１７の直径よりも大きい。ポンプが組み立てられた際には、内面３８は、Ｕ字脚部７の外側で開口１７と隣接する。ここでは、作動装置３２の内面３８同士は、互いに向き合っている。ダイヤフラム２は、作動装置３２の外面３７上に配置される。これらダイヤフラム２は、ポンプ・ハウジング１に、或いは、各Ｕ字脚部７に螺合されたチャンバ部１９によって保持される。
【００４０】
あるいは、接触板３５はＵ字脚部７の内側に配置されてもよい。
【００４１】
各固定装置３３は、各接触板３５の内面３８に隣接するベース本体３９を含む。いずれのベース本体３９も、開口１７の直径より僅かに小さい外径を有している。ポンプが組み立てられた際には、ベース本体３９は、開口１７を通って収容空間８内に突出し、各開口１７の境界を形成して軸受面となっている境界壁４０上に配置される。
【００４２】
各ベース本体３９は、その対称中心に対して点対称であり、中心軸３４上を通過してこれを軸方向に完全に貫通し、且つ、細長い矩形の窓形状をした開口４１を有する。各開口４１は、第１の長手方向端部４２と、第１の長手方向端部４２に対向する第２の長手方向端部４３を有する。長手方向端部４２、４３は、接触板３５にほぼ隣接して延びる。更に、開口４１は、いずれも、互いに対向する２つの長手方向側辺４４、４５を有する。開口４１は、ベース本体３９を略二等分に分割している。長手方向側辺４４、４５の間の間隔は、アーマチュア３の幅より僅かに大きい。長手方向端部４２、４３の間の間隔は、アーマチュア３の高さより僅かに大きい。
【００４３】
各ベース本体３９は、ポンプが組み立てられた際に収容空間８内に突出し、連結する接触板３５から離れた内側部４６を有する。各ベース本体３９は、内側部４６上に、接触板３５と平行に延びてアーマチュア３を軸方向に固定するため固定部を形成する接触面４７を有する。
【００４４】
また、各開口４１の長手方向側辺４４又は４５に隣接するセンタリング側面４８が、各ベース本体３９のその内側部４６に設けられる。センタリング側面４８は、各ベース本体３９の接触面４７から形成されており、接触ベース４７に対し斜めに延びる。１つのセンタリング側面４８は、第１の長手方向端部４２及び第２の長手方向側辺４５に隣接して位置する。一方、別のセンタリング側面４８は、第２の長手方向端部４３及び第１の長手方向側辺４４に隣接して位置する。センタリング側面４８は、接触面４７から中心軸３４の方向に延びる。これらは、互いに斜めに対向している。
【００４５】
更に、２つの開口膨張部４９が、ベース本体３９の中心軸３４の領域に各開口４１と隣接して設けられる。各ベース本体３９に接続されたスプリング・アームが、各開口膨張部４９内で弾かれる。スプリング・アーム５０は、弓形状をしており、中心軸３４の周りを曲線状に延びる。これらは、半径方向に撓むことができる。
【００４６】
いずれの開口膨張部４９も、ベース本体３９に設けられ、スプリング・アーム５０の自由端と隣接して延びる内側の接触側面８７により、横方向の境界が形成される。内側の接触側面８７同士は、互いに平行に延びる。各内側の接触側面８７は、各開口４１の長手方向側辺４４又は４５と隣接しており、ベース本体内の厚い領域上を延びる。内側の接触側面８７は、接触面４７と垂直に延びる。
【００４７】
以下に、ポンプの機能を説明する。電流の通ったコイル１１を設けることで、これが磁界を発生させる。永久磁石１６を含むアーマチュア３は、磁界内に位置する。永久磁石１６もまた、磁界を発生させる。永久磁石１６及び電気駆動磁石１２は共に、ポンプ本体駆動装置又はダイヤフラム駆動装置を形成する。アーマチュア３は、磁界によりその長手方向の中心軸１３に沿って揺動運動する。この過程で、その移動経路に沿って移動する。アーマチュア３は、互いに反対又は逆方向である２つの異なる方向に動く。
【００４８】
アーマチュア３が揺動運動することにより、２つのダイヤフラム２が交互に作動する。ダイヤフラム２の中心部がチャンバ部１９内に交互に押し入れられ、その後収容空間８に引き込まれることで、被搬送流体が搬送される。
【００４９】
被搬送流体は、ダイヤフラム２により、少なくとも１つのパネル・カバーを介してポンプ・ハウジング１内に吸引される。ポンプ・ハウジング１内では、流体は、くびき９に沿った少なくとも一部の領域を介して流れ、その後、吸込ライン３１内へ引き込まれる。流体流入口を形成する吸込開口２６を介して、流体は、各ポンプ室４に達する。この過程で、流体は、解除位置に位置する各吸気バルブプレート２８を通過する。この場合、圧力開口２５は、圧力バルブプレート２９によって閉鎖される。その後、流体は、流体流出口を形成する圧力開口２５を介してポンプ室４を出る。吸気バルブプレート２８は、流体が意図せず圧力ライン３１に戻ることを防ぐ。流体は、解除位置にある各圧力バルブプレート２９を通過し、そして、圧力ライン３０に達する。その後、流体は、圧力を集める接続片（図示せず）を介して取り除くことができる。ポンプは、外側ハウジング内に完全に収容することができる。
【００５０】
ダイヤフラム２の交換について、以下に更に詳しく説明する。この場合、ポンプは、図６及び７に示す動作状態であると想定する。ダイヤフラム交換中は、アーマチュア３は駆動しておらず、コイル１１に電流は流れていない。
【００５１】
このポンプの動作状態においては、アーマチュア３は、その移動経路に沿って可動となっている。いずれの作動装置３２又は固定装置３３も、その解除位置又は非固定位置にある。開口４１は、アーマチュア３を通過させられる向きに配置される。開口４１及びアーマチュア３は、共通の中心面を有する。
【００５２】
作動装置３２は、その解除位置から固定位置に、中心軸３４を中心に手動で回動される。作動装置３２は、同時又は継続的に回動させることができる。単純且つ信頼性のある力伝達を可能とする作動ハンドル３６は、作動装置３２を手動回動させるために使用される。作動装置３２の回動に対応して、固定装置３３が、その解除位置から固定位置に中心軸３４を中心に回動する。
【００５３】
まず、アーマチュア３のセンタリングを行う。図８及び９にこのセンタリングを示す。これは、固定装置３３が解除位置から固定位置へ移動する際に自動的に行われる。よって、固定装置３３のセンタリングが確実に行われる。１つの固定装置３３の２つのセンタリング側面４８が、同時にアーマチュア３上に配置される。アーマチュア３は、センタリング側面４８に対応する係合面５１を有することが好ましい。係合面５１は、アーマチュア３の長手方向端部の領域に位置しており、長手方向の中心軸１３と略垂直である。係合面５１とそれに連結するセンタリング側面４８の間で、相対運動が行われる。センタリング側面４８が傾いているため、アーマチュア３は、別の作動装置３２の方向に長手方向の中心軸１３に沿って作動されたばかりの作動装置３２から離れていく。２つの作動装置３２を作動させることで、長手方向の中心軸１３の方向へのアーマチュア３のセンタリングが行われる。各固定装置３３がアーマチュア３を押し離し、アーマチュア３がセンタリングされる。センタリング後、アーマチュア３は、Ｕ字脚部間の中央に位置する。更に、アーマチュア３のセンタリングの際、センタリング側面４８は、長手方向の中心軸１３と垂直な方向に作用する。このように、アーマチュア３は、長手方向の中心軸１３に対して半径方向にも中心を置く。作動装置３２又は固定装置３３が固定位置に更に回動されるほど、アーマチュア３のその位置が更に移動する。
【００５４】
アーマチュア３にしっかり固定されたダイヤフラム２は、固定装置３３の作動の際に、長手方向の中心軸１３を中心とするアーマチュア３の回動を防止する。更に、センタリング側面４８は、固定装置３３の作動の際に、アーマチュア３が長手方向の中心軸１３を中心とする回動運動を行うことを防止する。
【００５５】
その後、固定装置３３は、その固定位置に到達する。これらは、図１０及び１１に示される。そして、接触面４７は、アーマチュア３の長手方向端部上に平坦に配置され、これらを軸方向に固定する。開口４１とアーマチュア３は、順に又は互いの方向が合っていない。アーマチュア３は、もはや開口４１を通過することはできない。スプリング・アーム５０は、固定装置３３がその固定位置から不用意に移動することを防止する。スプリング・アーム５０は更に、アーマチュア３も固定する。この場合、スプリング・アーム５０は、アーマチュア３上に配置される。その後、アーマチュア３からダイヤフラム２を取り外すことができる。このために、ポンプ・ヘッド１８が取り外される。
【００５６】
その後更に、ベース本体３９の接触側面８７が、アーマチュア３の両側でアーマチュア３上横側に配置される。この場合、２つのベース本体３９の接触側面８７は、長手方向の中心軸１３を中心とした軸方向に離間している。接触側面８７は、長手方向の中心軸１３に沿ったアーマチュア３の回転を防止し、また、アーマチュア３のコイル１１への接近を防ぐ。よって、接触側面８７は、アーマチュア３をその移動方向の横側に固定する固定部を形成している。
【００５７】
作動装置３２を逆作動させることで、アーマチュア３は再び解除される。
【００５８】
図１２〜１９を参照し、以下に本発明の第２の実施形態を説明する。第１の実施形態と同一の構成要素には同じ符号を付して、ここで参照する。以下、構造的には異なるが機能的に同様の構成要素については、同じ符号に「ａ」を付け足して示している。第１の実施形態と第２の実施形態の本質的な違いは、作動装置３２ａ及び固定装置３３ａの構成である。ここでは、作動装置３２ａ及び固定装置３３ａは別体として構成されている。
【００５９】
ポンプは、２つの作動装置３２ａを有する。各作動装置３２ａは、円形状であり収容空間８に収容された作動ディスク５２を有する。作動ハンドル３６が、作動ディスク５２から半径方向に突出している。開口４１は、点対称である作動ディスク５２を軸方向に貫通している。各作動ディスク５２は、外面３７及び内面３８を有する。それぞれがセンタリング側面４８ａを有する２つのセンタリング板５３が、各内面３８から突出している。センタリング板５３は、弓状に湾曲して延びる。それぞれの曲率は均一であり、中心軸３４から一定の間隔で延びる。各センタリング板５３は、開口４１の長手方向側辺４４又は４５と接する。この場合、作動装置３２ａのセンタリング板５３は、互いに対向し、長手方向端部４２、４３に近接して斜めに配置される。センタリング側面４８ａは、内面３８及び中心軸３４に対して傾斜して延びる。
【００６０】
更に、各作動ディスク５２には、その内面３８に形成された２つのリンク５４が設けられる。リンク５４は、溝形状でもよい。また、これらは、作動ディスク５２を完全に貫通してもよい。作動装置３２ａのリンク５４は、長手方向側辺４４又は４５に近接して配置され、互いに傾斜して対向している。各リンク５４は、半径方向外側にある空転部５５、空転部５５に隣接したリンク・ピン作動部５６及びリンク・ピン作動部５６に隣接した半径方向内側にある固定部５７を有する。いずれの固定部５７も、開口４１と近接して配置され、略直線状に延びる。中心軸３４からのその間隔は、略一定である。固定部５７から進むにすれ、中心軸３４からリンク・ピン作動部５６の間隔は、大幅に増加する。空転部５５もまた、中心軸３４からの間隔は略一定である。
【００６１】
ポンプは、２つの固定装置３３ａを更に有する。各固定装置３３ａは、ここでは２つのクサビ機構５８を含む。各クサビ機構５８は、外側の連結クサビ５９と内側の把持クサビ６０を有する。把持クサビ６０と連結クサビ５９は、それぞれ連結される。これらは、実質的に一対のクサビを形成する。
【００６２】
各クサビ機構５８は、キャリア６１を有する。いずれのキャリア６１も、ポンプが組み立てられた際にそれを通過するネジ６３を有すると共に、Ｕ字底部６に隣接して位置する固定片６２を含む。くびき９にネジ６３が螺合され、これによりキャリア６１もくびき９に固定される。これに代わる別の固定を行うこともできる。
【００６３】
更に、各キャリア６１は、好ましくは棒状に構成され、固定片６２に接続されたホルダ６４を有する。固定装置３３ａのホルダ６４同士は、互いに平行に延びる。これらは、Ｕ字脚部７と平行に延び、Ｕ字底部６と垂直な固定片６２から遠ざかるように延びる。連結クサビ５９は、各ホルダ６４にしっかり固定される。各連結クサビ５９は、連結するホルダ６４から離れた側にある斜めに延びるクサビ自由面６５を有する。固定装置３３ａのクサビ面６５同士は、互いに向き合っている。リンク・ピン７１が各連結クサビ５９に設けられ、隣接する作動装置３２ａのリンク５４に係合する。
【００６４】
固定装置３３ａの２つのホルダ６４は、２本のガイド・ロッド６６によって互いに接続される。ガイド・ロッド６６は、互いに平行且つホルダ６４と略垂直に延びる。これらは、Ｕ字底部６及びＵ字脚部７と平行に延びる。これらは、互いに対向するホルダ６４の長手方向両端の領域でホルダ６４にしっかりと固定される。ガイド・ロッド６６は、アーマチュア３の長手方向の両側辺から間隔をあけて延びる。
【００６５】
把持クサビ６０は、ガイド・ロッド６６に沿って移動可能に案内される。このため、これらは、対応するガイド凹部６７を有している。各把持クサビ６０は、連結された連結クサビ５９のクサビ面６５上にあって斜めに延びるクサビ面６８を有する。更に、各把持クサビ６０は、クサビ面６８の反対側に配置される直立した把持自由面４７ａを有する。把持面４７ａは、アーマチュア３を固定する固定部を形成する。固定装置３３ａの把持面４７ａ同士は、互いに向き合っている。少なくとも１つのバネ要素７０が、固定装置３３ａの２つの把持クサビ６０の間に設けられる。バネ要素７０を形成する圧力コイルばねが、ここでは各ガイド・ロッド６６上に配置される。しかし、圧力コイルばね７０の代わりに、板バネを設けることが好ましい。圧力コイルばね７０は、固定装置３３ａの把持クサビ６０の把持面４７ａに支持される。例えば、連結クサビ５９の摺動クサビ面６５上のＴ状ガイド溝を設けて使用する場合、バネ要素７０は、完全に省くことができる。
【００６６】
以下に、作動装置３２ａ又は固定装置３３ａの機能形態を説明する。この場合、作動装置３２ａ又は固定装置３３ａは、図１４及び１６に示す解除位置にあると想定する。クサビ機構５８の把持面４７ａ同士は、ここでは互いに離間している。把持面４７ａ同士の間の間隔は、アーマチュア３の幅より大きい。アーマチュア３は、長手方向の中心軸１３に沿って動くことができる。アーマチュア３は、開口４１を通過してもよい。
【００６７】
少なくとも１つの作動装置３２ａ又は固定装置３３ａが、アーマチュア３を固定するために作動されなければならない。このために、作動ハンドル３６を使用することが好ましい。作動装置３２ａの初期回動時に、センタリング側面４８ａがアーマチュア３の隣接する長手方向端部上に同時に配置され、アーマチュア３がその長手方向の中心軸１３に沿って移動する。アーマチュア３は、別の作動装置３２ａに向かって押される。この場合、空転部５５が、各リンク・ピン７１を通り過ぎる。各リンク・ピン７１とリンク５４の間で力は伝達されない。このように、空転部５５には作動機能がない。固定装置３３ａは、まだ作動されていない。
【００６８】
作動装置３２ａを更に回動すると、リンク・ピン作動部５６が各リンク・ピン７１に達する。これは、図１７及び１８に示される。ここでは、リンク・ピン作動部５６とリンク・ピン７１の間で力伝達が行われる。この場合、互いに突合するクサビ面６５、６８の間で、相対運動が行われる。このようにして、把持面４７ａ同士が互いに接近する。これらは、既に中心に配置されて今は把持面４７ａと固定装置３３ａの間に位置するアーマチュア３にも接近する。固定装置３３ａの把持面４７ａの誘導に伴って、バネ要素７０が圧縮される。
【００６９】
図１９に最終固定位置を示す。固定装置３３ａの把持面４７ａは、アーマチュア３上横側に平面的に配置され、互いに対向している。把持面４７ａにより、アーマチュア３は局所的に固定され、また、このプロセスにおいて、アーマチュア３は中央に配置される。ここでは、クランプ固定が用いられる。リンク・ピン７１は、固定部５７内にあり、そこに固定される。固定装置３３ａは、長手方向の中心軸１３に沿って互いに離間された２箇所でアーマチュア３を確実に固定する。仮想的な前面と背面の固定が行われる。
【００７０】
作動装置３２ａを逆作動させることで、ここでも同様にアーマチュア３は再び解除される。
【００７１】
図２０〜２５を参照し、以下に本発明の第３の実施形態を説明する。前述の実施形態と同一の構成要素には同じ符号を付して、ここで参照する。以下、構造的には異なるが機能的に同様の構成要素については、同じ符号に「ｂ」を付して示す。前述の２つの実施形態とは、作動装置３２ｂ及び固定装置３３ｂの構成において異なる。作動装置３２ｂは、第２の実施形態に係る作動装置３２ａと類似する。
【００７２】
ポンプは、正確には１つの作動装置３２ｂを有する。しかし、ここでも２つの作動装置３２ｂを設けてもよい。作動装置３２ｂも、その中心軸３４に対し点対称となった円形状の作動ディスク５２ｂを有する。作動ハンドル３６が、作動ディスク５２ｂから半径方向に突出している。作動ディスク５２ｂは、その端面上を貫通する開口４１を有する。更に、作動ディスク５２ｂには、その内面３８に形成された２つのリンク５４ｂが設けられる。リンク５４ｂは、溝形状であってもよい。また、これらは、作動ディスク５２ｂを完全に貫通してもよい。リンク５４ｂは、中心軸３４を中心に湾曲して延びる。
【００７３】
各リンク５４ｂは、リンク・ピン作動部５６ｂ及び半径方向内側にある固定部５７を有する。リンク・ピン作動部５６ｂは、開口４１の長手方向端部４２又は４３の領域から延びる。これらは、図２３によれば、開口４１から時計回りに延び、その過程において、中心軸３４に接近する。長手方向端部４２、４３に近接する領域において、リンク・ピン作動部５６ｂは、リンク・ピン作動部５６ｂの内端にあって第２の曲率半径より大きい第１の曲率半径を有する。リンク・ピン作動部５６ｂの内端には、一直線に延びて中心軸３４から略一定の間隔を有する固定部５７ｂが隣接する。
【００７４】
ポンプは、２つの固定装置３３ｂを有する。各固定装置３３ｂは、固定片６２ｂにより隣接したくびき９にしっかりと固定されたキャリア６１ｂを有する。少なくとも１つのガイド・ロッド６６ｂが、各固定片６２ｂに固定される。ここでは、２つのガイド・ロッド６６ｂが固定片６２ｂごとに設けられ、互いに平行に延びる。ガイド・ロッド６６ｂは、Ｕ字脚部７と平行且つＵ字底部と略垂直に延びる。
【００７５】
ガイド・ロッド６６ｂ上では、２つのクランプ状で細長い固定部４７ｂが移動可能にガイドされる。これら固定部４７ｂは、同一形状に構成される。各固定部４７ｂは、ガイド・ロッド６６ｂが通り抜ける２つのガイド凹部６７ｂを有する。いずれの固定部４７ｂも、長細い溝形状又はチャネル状の包囲受け部７５を有している。包囲受け部７５は、互いに対向する導入開口７２を有する。
【００７６】
各包囲受け部７５は、２つの長手方向側辺と２つの長手方向端部７６を有する。傾斜面として構成されて包囲受け部７５の軸方向の境界となるセンタリング側面４８ｂが、各長手方向端部７６に設けられる。傾斜面として構成されて包囲受け部７５横側の境界となるセンタリング側面７３が、各長手方向側辺上に設けられる。センタリング側面４８ｂ同士は、互いに対向している。センタリング側面４８ｂの領域において、包囲受け部７５の長さは、外側から内側に向かって減少する。センタリング側面７３同士は、互いに対向している。センタリング側面７３の領域において、包囲受け部７５の幅は、外側から内側に向かって減少する。
【００７７】
更に、固定部４７ｂの各長手方向端部７６には、軸方向に突出するリンク・ピン７１が設けられる。ポンプが組み立てられた際には、リンク・ピン７１がリンク５４ｂと係合する。
【００７８】
ポンプの動作態様を、以下に更に詳細に説明する。この場合、図２２に示す動作位置を想定している。ここでは、固定部４７ｂがアーマチュア３から離間して配置されるため、アーマチュア３は解除され、その長手方向の中心軸１３に沿って動くことができる。
【００７９】
ダイヤフラム２を取り替えるためには、作動ハンドル３６により、中心軸３４を中心に作動装置３２ｂを回動させる必要がある。この場合、それに伴ってリンク５４ｂも移動する。リンク５４ｂとリンク・ピン７１の間で、相対運動が行われる。リンク・ピン７１は、リンク・ピン作動部５６ｂに沿って固定部５７ｂに向かって移動する。この場合、このリンク結合により、固定部４７ｂが作動され、ガイド・ロッド６６ｂに沿って互いに向かって移動する。図２５に示す固定位置では、固定部４７ｂとアーマチュア３が係合する。アーマチュア３の２つの長手方向側辺は、包囲受け部７５内に位置している。固定位置において、リンク・ピン７１は、固定部５７ｂに局所的に固定される。固定装置３３ｂは、長手方向の中心軸１３に沿って互いに離間された２箇所でアーマチュア３を確実に固定する。前面と背面の固定が実質的に行われる。
【００８０】
固定部４７ｂがアーマチュア３に接近すると、センタリング側面４８ｂが、長手方向の中心軸１３に沿ってアーマチュア３のセンタリングを行う。更に、センタリング側面７３が、アーマチュア３のセンタリングをその長手方向の中心軸１３の横側で行う。
【００８１】
図２６〜３２を参照し、以下に本発明の第４の実施形態を説明する。前述の実施形態と同一の構成要素には同じ符号を付して、ここで参照する。以下、構造的には異なるが機能的に同様の構成要素については、同じ符号に「ｃ」を付け足して示している。前述の２つの実施形態とは、作動装置３２ｃ及び固定装置３３ｃの構成において異なっている。
【００８２】
ポンプは、２つの作動装置３２ｃと２つの固定装置３３ｃを含む。ここではポンプを組み立てた際にはＵ字底部６と隣接してくびき９上にしっかりと固定された２つの固定片６２ｃが設けられる。互いに平行な２つのホルダ６４ｃは、各固定片６２ｃに強固に接続され、Ｕ字底部６から遠ざかるように延び、いずれもその自由端に軸受開口７９を有する。ホルダ６４ｃは、Ｕ字底部６と垂直に延びる。固定装置３３ｃの軸受開口７９は、Ｕ字底部６と平行に延びる共通の軸受中心軸を有する。各軸受開口７９において、固定部４７ｃが、Ｕ字底部６と平行に移動可能にガイドされる。いずれの固定部４７ｃも、ピン状又はボルト状に、好ましくは断面が円形となるように構成される。これらは、外側にある作動端部８０と内側にある固定端部８１をそれぞれ有している。固定部４７ｃは、固定端部８１の領域において円錐形に先細になっており、センタリング部４８ｃを形成する。作動端部８０の領域においては、固定部４７ｃは、いずれも、半径方向に突出したヘッドを有している。各固定部４７ｃには、コイルばね８２が配置される。これは、いずれも固定部４７ｃのヘッド及び各ホルダ６４ｃに配置され、固定部４７ｃを外側に又はホルダ６４ｃから離れるように押圧する。
【００８３】
作動装置３２ｃは、いずれも環形状である。作動装置３２ｃは、半径方向に突出する作動ハンドル３６をそれぞれ有している。各作動装置３２ｃには、同一形状に構成され、中心軸３４を中心に各作動装置３２ｃの端部回りに延びる２つの制御カム５４ｃが設けられる。制御カム５４ｃは、中心軸３４に向かって開口する。各制御カム５４ｃは、制御カム開始端８４と制御カム終端８５を有する。中心軸３４から制御カム５４ｃの境界である基底面までの半径方向の距離は、制御カム開始端８４から制御カム終端８５の方向に向かって減少し、リンク・ピン作動部５６ｃを形成する。この減少は、定期的または不定期に起こる。
【００８４】
アーマチュア３内には、固定凹部８６が構成される。アーマチュア３の各長手方向端部の領域には、互いに対向し、Ｕ字底部６と平行に延びる中心軸を有する２つの固定凹部８６が設けられる。固定凹部８６は、円錐状に構成され、隣接する固定部４７ｃに向かって開口する。固定凹部８６は、外側から内側に向かって先細になっている。
【００８５】
ポンプが組み立てられた際、固定部４７ｃのヘッドは、制御カム５４ｃの内側に配置される。ヘッドは、コイルばね８２により制御カム５４ｃに押し付けられる。固定装置３３ｃの固定部４７ｃの固定端部８１同士は、互いに対向する。固定部４７ｃは、リンク・ピン７１ｃを形成する。
【００８６】
ポンプの動作態様を、以下に更に詳細に説明する。この場合、図３０が開始点となる。図３０では、アーマチュア３は解除されている。固定端部８１は、固定凹部８６から離間している。作動装置３２ｃの回動時に、作動端部８０が制御カム５４ｃ上を摺動する。この場合、固定部４７ｃは、リンク・ピン作動部５６ｃ内で制御カム５４ｃにより、互いに向かって又はアーマチュア３に向かって押圧される。
【００８７】
図３１に見られるように、固定部４７ｃと固定凹部８６を円錐状に構成したため、アーマチュア３のセンタリングは、固定凹部８６に固定部４７ｃを挿入することにより行われる。
【００８８】
図３２に示すように、アーマチュア３は局所的に固定される。固定部４７ｃ及び固定凹部８６は、確動接続される。固定装置３３ｃは、長手方向の中心軸１３に沿って互いに離間された２箇所でアーマチュア３を確実に固定している。前面と背面の固定が実質的に行われる。
【国際調査報告】
2013532799.tif 000035
2013532799.tif 000036
2013532799.tif 000037